(57)【要約】【課題】リユース商品の流通において盗難品を見破ることができ、盗難品のリユース市場への流通を防ぐことができるリユース商品流通管理システムを提供する。【解決手段】リユース商品流通管理システムは、時計（リユース商品）が盗難品である場合、時計Ｗの独自のシリアル番号を不正商品識別子として記憶する不正商品識別子記憶手段と、時計の流通時に、不正商品識別子記憶手段によって記憶した不正商品識別子を参照しつつ流通対象の時計が盗難品に該当するかを判断する不正商品判断手段と、不正商品判断手段によって流通対象の時計が盗難品に該当すると判断した場合、不正商品メッセージを出力する不正商品メッセージ出力手段とを有する。【選択図】図１
2019144795.tif 000002
【特許請求の範囲】
【請求項１】
独自の商品識別子を有する各種複数のリユース商品の流通を管理するリユース商品流通管理システムにおいて、
前記リユース商品流通管理システムが、前記リユース商品が不正商品である場合、前記不正商品の独自の商品識別子を不正商品識別子として記憶する不正商品識別子記憶手段と、前記リユース商品の流通時に、前記不正商品識別子記憶手段によって記憶した前記不正商品識別子を参照しつつ流通対象のリユース商品が不正商品に該当するかを判断する不正商品判断手段と、前記不正商品判断手段によって前記流通対象のリユース商品が不正商品に該当すると判断した場合、不正商品メッセージを出力する不正商品メッセージ出力手段とを有することを特徴とするリユース商品流通管理システム。
【請求項２】
前記リユース商品流通管理システムが、前記リユース商品の流通時に、前記流通対象のリユース商品の商品識別子を入力する識別子入力手段を含み、前記不正商品判断手段が、前記識別子入力手段によって入力された商品識別子と前記不正商品識別子記憶手段によって記憶した前記不正商品識別子とを比較し、前記商品識別子と前記不正商品識別子とが一致した場合に前記流通対象のリユース商品が不正商品に該当すると判断する請求項１に記載のリユース商品流通管理システム。
【請求項３】
前記リユース商品流通管理システムが、前記リユース商品の商品識別子を示すユニーク識別子を生成するユニーク識別子生成手段と、前記リユース商品の商品識別子を前記ユニーク識別子生成手段によって生成したユニーク識別子に関連付けた状態で記憶する商品識別子記憶手段とを含み、前記リユース商品流通管理システムでは、前記ユニーク識別子を表すバーコードと該ユニーク識別子を記憶したＩＣチップとのうちの少なくとも一方を備えたタグを該リユース商品に附属させ、前記タグに表示されたバーコードを読み取ることで前記ユニーク識別子に関連付けられた前記リユース商品の商品識別子が特定され、または、前記ＩＣチップに記憶された前記ユニーク識別子を読み取ることで該ユニーク識別子に関連付けられた前記リユース商品の商品識別子が特定される請求項１または請求項２に記載のリユース商品流通管理システム。
【請求項４】
前記不正商品が、不法に盗取された盗難品であり、前記不正商品判断手段が、前記不正商品識別子を参照しつつ流通対象のリユース商品が盗難品に該当するかを判断し、前記不正商品メッセージ出力手段が、盗難品メッセージを出力する請求項１ないし請求項３いずれかに記載のリユース商品流通管理システム。
【請求項５】
前記リユース商品流通管理システムが、前記盗難品の商品識別子を所定の提供者から逐次受信する商品識別子受信手段を含み、前記不正商品識別子記憶手段が、前記商品識別子受信手段によって逐次受信した盗難品の商品識別子を不正商品識別子として記憶更新する請求項４に記載のリユース商品流通管理システム。
【請求項６】
前記リユース商品流通管理システムが、前記リユース商品の流通に必要な該リユース商品の商品データを前記商品識別子または前記ユニーク識別子に関連付けた状態で記憶する商品データ記憶手段と、前記リユース商品の流通時に、前記商品識別子または前記ユニーク識別子に対応する前記商品データを出力する商品データ出力手段とを含む請求項３ないし請求項５いずれかに記載のリユース商品流通管理システム。
【請求項７】
前記商品データ出力手段が、前記バーコードに表されたユニーク識別子が示す商品識別子に対応する商品データを出力し、または、前記ＩＣチップに記憶されたユニーク識別子が示す商品識別子に対応する商品データを出力する請求項６に記載のリユース商品流通管理システム。
【請求項８】
前記リユース商品流通管理システムが、前記リユース商品の流通に必要な該リユース商品の流通履歴データを前記商品識別子または前記ユニーク識別子に関連付けた状態で記憶する流通履歴データ記憶手段と、前記リユース商品の流通時に、前記商品識別子または前記ユニーク識別子に対応する流通履歴データを出力する流通履歴データ出力手段とを含む請求項３ないし請求項７いずれかに記載のリユース商品流通管理システム。
【請求項９】
前記流通履歴データ出力手段が、前記バーコードに表されたユニーク識別子が示す商品識別子に対応する流通履歴データを出力し、または、前記ＩＣチップに記憶されたユニーク識別子が示す商品識別子に対応する流通履歴データを出力する請求項８に記載のリユース商品流通管理システム。
【請求項１０】
前記リユース商品の流通時が、企業対企業における前記リユース商品の売買時、企業対個人ユーザーにおける前記リユース商品の売買時、個人ユーザー対個人ユーザーにおける前記リユース商品の売買時である請求項１ないし請求項９いずれかに記載のリユース商品流通管理システム。
【請求項１１】
前記企業対企業における前記リユース商品の売買が、該企業対企業における前記リユース商品のオークションであり、前記企業対個人ユーザーにおけるリユース商品の売買と前記個人ユーザー対個人ユーザーにおけるリユース商品の売買とが、所定のウェブサイトを利用した該企業対個人ユーザーおよび該個人ユーザー対個人ユーザーにおける前記リユース商品の売買である請求項１０に記載のリユース商品流通管理システム。
【請求項１２】
前記リユース商品流通管理システムでは、前記タグに表示されたバーコードと該タグに取り付けられたＩＣチップとのうちの少なくとも一方から前記ユニーク識別子を所定の通信端末に登録し、前記通信端末に登録されたユニーク識別子に対応する前記リユース商品が盗取された場合、所定の盗難信号とともに前記盗取されたリユース商品のユニーク識別子を前記通信端末から前記リユース商品流通管理システムに送信し、前記リユース商品流通管理システムが、前記通信端末から送信された盗難品のユニーク識別子を逐次受信するユニーク識別子受信手段を含み、前記不正商品識別子記憶手段が、前記ユニーク識別子受信手段によって逐次受信した盗難品のユニーク識別子が示す商品識別子を不正商品識別子として記憶更新する請求項３ないし請求項１１いずれかに記載のリユース商品流通管理システム。
【請求項１３】
前記通信端末が、前記リユース商品を市場に流通させる企業の通信端末、前記リユース商品を売買する個人ユーザーの携帯通信端末であり、前記リユース商品流通管理システムでは、前記企業の通信端末または前記個人ユーザーの携帯通信端末から前記リユース商品流通管理システムの通信端末に前記盗難信号および前記盗取されたリユース商品のユニーク識別子を送信する請求項１２に記載のリユース商品流通管理システム。
【請求項１４】
独自の商品識別子を有する各種複数のリユース商品の流通を管理するリユース商品流通管理方法において、
前記リユース商品流通管理方法が、前記リユース商品が不正商品である場合、前記不正商品の独自の商品識別子を不正商品識別子として記憶する不正商品識別子記憶工程と、前記リユース商品の流通時に、前記不正商品識別子記憶工程によって記憶した前記不正商品識別子を参照しつつ流通対象のリユース商品が不正商品に該当するかを判断する不正商品判断工程と、前記不正商品判断工程によって前記流通対象のリユース商品が不正商品に該当すると判断した場合、不正商品メッセージを出力する不正商品メッセージ出力工程とを有することを特徴とするリユース商品流通管理方法。
【請求項１５】
前記リユース商品流通管理方法が、前記リユース商品の流通時に、前記流通対象のリユース商品の商品識別子を入力する商品識別子入力工程を含み、前記不正商品判断工程が、前記商品識別子入力工程によって入力された商品識別子と前記不正商品識別子記憶工程によって記憶した前記不正商品識別子とを比較し、前記商品識別子と前記不正商品識別子とが一致した場合に前記流通対象のリユース商品が不正商品に該当すると判断する請求項１に記載のリユース商品流通管理方法。
【請求項１６】
前記リユース商品流通管理方法が、前記リユース商品の商品識別子を示すユニーク識別子を生成するユニーク識別子生成工程と、前記リユース商品の商品識別子を前記ユニーク識別子生成工程によって生成したユニーク識別子に関連付けた状態で記憶する商品識別子記憶工程と、前記ユニーク識別子を表すバーコードと該ユニーク識別子を記憶したＩＣチップとのうちの少なくとも一方を備えたタグを前記リユース商品に附属させるタグ附属工程とを含み、前記リユース商品流通管理方法では、前記タグに表示されたバーコードを読み取ることで前記ユニーク識別子に関連付けられた前記リユース商品の商品識別子が特定され、または、前記ＩＣチップに記憶された前記ユニーク識別子を読み取ることで該ユニーク識別子に関連付けられた前記リユース商品の商品識別子が特定される請求項１４または請求項１５に記載のリユース商品流通管理方法。
【請求項１７】
前記不正商品が、不法に盗取された盗難品であり、前記不正商品判断工程が、前記不正商品識別子を参照しつつ流通対象のリユース商品が盗難品に該当するかを判断し、前記不正商品メッセージ出力工程が、盗難品メッセージを出力する請求項１４ないし請求項１６いずれかに記載のリユース商品流通管理方法。
【請求項１８】
前記リユース商品流通管理方法が、前記盗難品の商品識別子を所定の提供者から逐次受信する商品識別子受信工程を含み、前記不正商品識別子記憶工程が、前記商品識別子受信工程によって逐次受信した盗難品の商品識別子を不正商品識別子として記憶更新する請求項１７に記載のリユース商品流通管理方法。
【請求項１９】
前記リユース商品流通管理方法が、前記リユース商品の流通に必要な該リユース商品の商品データを前記商品識別子または前記ユニーク識別子に関連付けた状態で記憶する商品データ記憶工程と、前記リユース商品の流通時に、前記商品識別子または前記ユニーク識別子に対応する前記商品データを出力する商品データ出力工程とを含む請求項１６ないし請求項１８いずれかに記載のリユース商品流通管理方法。
【請求項２０】
前記商品データ出力工程が、前記バーコードに表されたユニーク識別子が示す商品識別子に対応する商品データを出力し、または、前記ＩＣチップに記憶されたユニーク識別子が示す商品識別子に対応する商品データを出力する請求項１９に記載のリユース商品流通管理方法。
【請求項２１】
前記リユース商品流通管理方法が、前記リユース商品の流通に必要な該リユース商品の流通履歴データを前記商品識別子または前記ユニーク識別子に関連付けた状態で記憶する流通履歴データ記憶工程と、前記リユース商品の流通時に、前記商品識別子または前記ユニーク識別子に対応する流通履歴データを出力する流通履歴データ出力工程とを含む請求項１６ないし請求項２０いずれかに記載のリユース商品流通管理方法。
【請求項２２】
前記流通履歴データ出力工程が、前記バーコードに表されたユニーク識別子が示す商品識別子に対応する流通履歴データを出力し、または、前記ＩＣチップに記憶されたユニーク識別子が示す商品識別子に対応する流通履歴データを出力する請求項２１に記載のリユース商品流通管理方法。
【請求項２３】
前記リユース商品の流通時が、企業対企業における前記リユース商品の売買時、企業対個人ユーザーにおける前記リユース商品の売買時、個人ユーザー対個人ユーザーにおける前記リユース商品の売買時である請求項１４ないし請求項２２いずれかに記載のリユース商品流通管理方法。
【請求項２４】
前記企業対企業における前記リユース商品の売買が、該企業対企業における前記リユース商品のオークションであり、前記企業対個人ユーザーにおけるリユース商品の売買と前記個人ユーザー対個人ユーザーにおけるリユース商品の売買とが、所定のウェブサイトを利用した該企業対個人ユーザーおよび該個人ユーザー対個人ユーザーにおける前記リユース商品の売買である請求項２３に記載のリユース商品流通管理方法。
【請求項２５】
前記リユース商品流通管理方法が、前記タグに表示されたバーコードと該タグに取り付けられたＩＣチップとのうちの少なくとも一方から前記ユニーク識別子を所定の通信端末に登録するユニーク識別子登録工程と、前記ユニーク識別子登録工程によって通信端末に登録されたユニーク識別子に対応する前記リユース商品が盗取された場合、所定の盗難信号とともに前記盗取されたリユース商品のユニーク識別子を前記通信端末から前記リユース商品流通管理システムに送信するユニーク識別子送信工程と、前記通信端末から送信された盗難品のユニーク識別子を逐次受信するユニーク識別子受信工程を含み、前記不正商品識別子記憶工程が、前記ユニーク識別子受信工程によって逐次受信した盗難品のユニーク識別子が示す商品識別子を不正商品識別子として記憶更新する請求項１４ないし請求項２４いずれかに記載のリユース商品流通管理方法。
【請求項２６】
前記通信端末が、前記リユース商品を市場に流通させる企業の通信端末、前記リユース商品を売買する個人ユーザーの携帯通信端末であり、前記商品識別子送信工程が、前記企業の通信端末または前記個人ユーザーの携帯通信端末から前記リユース商品流通管理システムの通信端末に前記盗難信号および前記盗取されたリユース商品のユニーク識別子を送信する請求項２５に記載のリユース商品流通管理方法。
【発明の詳細な説明】
【技術分野】
【０００１】
本発明は、独自の商品識別子を有する複数のリユース商品の流通を管理するリユース商品流通管理システムおよびリユース商品流通管理方法に関する。
【背景技術】
【０００２】
売り手端末からの要求に応じて出品登録画面を売り手端末に送信し、出品登録画面に従って入力された出品情報を売り手端末から受信し、固有の商品番号を付与した後、商品データとして記憶部に記憶するとともに、買い手端末からの要求に応じて商品データに基づいて商品注文画面を作成しつつ、商品注文画面を買い手端末に送信し、購入する出品物の商品番号と商品受取先の取次店の店名とを含む買い手によって入力された注文情報を買い手端末から受信しつつ、商品番号に対応する商品データに記録し、注文情報を記録された商品データに対応する売り手端末に商品番号を含む売買成立通知を送信するリユース品売買仲介システムが開示されている（特許文献１参照）。
【先行技術文献】
【特許文献】
【０００３】
【特許文献１】特開２００７−２５７２４３号公報
【発明の概要】
【発明が解決しようとする課題】
【０００４】
前記特許文献１に開示のリユース品売買仲介システムは、リユース品が盗難品や偽物、レプリカ、コピー品、禁輸品、欠陥品、知的財産権侵害品等の不正商品である場合、それら不正商品を見破ることができず、不正商品がリユース市場へ流通してそれら不正商品が売買されてしまう場合があり、リユース品の信用度が低下し、リユース品を安心して売買することができない。不正商品が一旦リユース市場に出回ると、リユース市場における不正商品の流通を止めることが難しく、リユース品の取引の安全を図ることができず、安全かつ安心なリユース市場を構築することができない。
【０００５】
また、特許文献１に開示のリユース品売買仲介システムは、リユース品の売買時に、売り手が入力した商品データを知ることはできるが、各リユース品の売買に必要な商品データを一元的に管理することができず、各リユース品の売買に必要な商品データをその都度出力することができないとともに、各リユース品の売買に必要な商品データを知ることができない。さらに、各リユース品の売買に必要な流通履歴データを一元的に管理することができず、各リユース品の売買に必要なリユース品の流通履歴データをその都度出力することができず、各リユース品の売買に必要なリユース品の流通履歴データを知ることができない。
【０００６】
本発明の目的は、リユース商品の流通において不正商品を見破ることができ、不正商品のリユース市場への流通を防ぐことができるとともに、それら不正商品の売買を防ぐことができるリユース商品流通管理システムおよびリユース商品流通管理方法を提供することにある。本発明の他の目的は、リユース商品の取引の安全を図ることができ、安全かつ安心なリユース市場を構築することができるリユース商品流通管理システムおよびリユース商品流通管理方法を提供することにある。本発明の他の目的は、各リユース商品の売買に必要な商品データを一元的に管理することができ、各リユース商品の流通や売買に必要なリユース商品の商品データを流通の度毎に出力することができるとともに、各リユース商品の流通や売買に必要なリユース商品の商品データを流通の度毎に知ることができるリユース商品流通管理システムおよびリユース商品流通管理方法を提供することにある。本発明の他の目的は、各リユース商品の売買に必要な流通履歴データを一元的に管理することができ、各リユース商品の売買に必要なリユース商品の流通履歴データを流通の度毎に出力することができるとともに、各リユース商品の売買に必要なリユース商品の流通履歴データを流通の度毎に知ることができるリユース商品流通管理システムおよびリユース商品流通管理方法を提供することにある。
【課題を解決するための手段】
【０００７】
前記課題を解決するための本発明の第１の前提は、独自の商品識別子を有する各種複数のリユース商品の流通を管理するリユース商品流通管理システムである。
【０００８】
前記第１の前提における本発明のリユース商品流通管理システムの特徴は、リユース商品流通管理システムが、リユース商品が不正商品である場合、不正商品の独自の商品識別子を不正商品識別子として記憶する不正商品識別子記憶手段と、リユース商品の流通時に、不正商品識別子記憶手段によって記憶した不正商品識別子を参照しつつ流通対象のリユース商品が不正商品に該当するかを判断する不正商品判断手段と、不正商品判断手段によって流通対象のリユース商品が不正商品に該当すると判断した場合、不正商品メッセージを出力する不正商品メッセージ出力手段とを有することにある。
【０００９】
本発明のリユース商品流通管理システムの一例としては、リユース商品流通管理システムが、リユース商品の流通時に、流通対象のリユース商品の商品識別子を入力する識別子入力手段を含み、不正商品判断手段が、識別子入力手段によって入力された商品識別子と不正商品識別子記憶手段によって記憶した不正商品識別子とを比較し、商品識別子と不正商品識別子とが一致した場合に流通対象のリユース商品が不正商品に該当すると判断する。
【００１０】
本発明のリユース商品流通管理システムの他の一例としては、リユース商品流通管理システムが、リユース商品の商品識別子を示すユニーク識別子を生成するユニーク識別子生成手段と、リユース商品の商品識別子をユニーク識別子生成手段によって生成したユニーク識別子に関連付けた状態で記憶する商品識別子記憶手段とを含み、リユース商品流通管理システムでは、ユニーク識別子を表すバーコードとユニーク識別子を記憶したＩＣチップとのうちの少なくとも一方を備えたタグをリユース商品に附属させ、タグに表示されたバーコードを読み取ることでユニーク識別子に関連付けられたリユース商品の商品識別子が特定され、または、ＩＣチップに記憶されたユニーク識別子を読み取ることでユニーク識別子に関連付けられたリユース商品の商品識別子が特定される。
【００１１】
本発明のリユース商品流通管理システムの他の一例としては、不正商品が不法に盗取された盗難品であり、不正商品判断手段が不正商品識別子を参照しつつ流通対象のリユース商品が盗難品に該当するかを判断し、不正商品メッセージ出力手段が盗難品メッセージを出力する。
【００１２】
本発明のリユース商品流通管理システムの他の一例としては、リユース商品流通管理システムが盗難品の商品識別子を所定の提供者から逐次受信する商品識別子受信手段を含み、不正商品識別子記憶手段が商品識別子受信手段によって逐次受信した盗難品の商品識別子を不正商品識別子として記憶更新する。
【００１３】
本発明のリユース商品流通管理システムの他の一例としては、リユース商品流通管理システムが、リユース商品の流通に必要なリユース商品の商品データを商品識別子またはユニーク識別子に関連付けた状態で記憶する商品データ記憶手段と、リユース商品の流通時に、商品識別子またはユニーク識別子に対応する商品データを出力する商品データ出力手段とを含む。
【００１４】
本発明のリユース商品流通管理システムの他の一例としては、商品データ出力手段が、バーコードに表されたユニーク識別子が示す商品識別子に対応する商品データを出力し、または、ＩＣチップに記憶されたユニーク識別子が示す商品識別子に対応する商品データを出力する。
【００１５】
本発明のリユース商品流通管理システムの他の一例としては、リユース商品流通管理システムが、リユース商品の流通に必要なリユース商品の流通履歴データを商品識別子またはユニーク識別子に関連付けた状態で記憶する流通履歴データ記憶手段と、リユース商品の流通時に、商品識別子またはユニーク識別子に対応する流通履歴データを出力する流通履歴データ出力手段とを含む。
【００１６】
本発明のリユース商品流通管理システムの他の一例としては、流通履歴データ出力手段が、バーコードに表されたユニーク識別子が示す商品識別子に対応する流通履歴データを出力し、または、ＩＣチップに記憶されたユニーク識別子が示す商品識別子に対応する流通履歴データを出力する。
【００１７】
本発明のリユース商品流通管理システムの他の一例としては、リユース商品の流通時が、企業対企業におけるリユース商品の売買時、企業対個人ユーザーにおけるリユース商品の売買時、個人ユーザー対個人ユーザーにおけるリユース商品の売買時である。
【００１８】
本発明のリユース商品流通管理システムの他の一例としては、企業対企業におけるリユース商品の売買が企業対企業におけるリユース商品のオークションであり、企業対個人ユーザーにおけるリユース商品の売買と個人ユーザー対個人ユーザーにおけるリユース商品の売買とが所定のウェブサイトを利用した企業対個人ユーザーおよび個人ユーザー対個人ユーザーにおけるリユース商品の売買である。
【００１９】
本発明のリユース商品流通管理システムの他の一例として、リユース商品流通管理システムでは、タグに表示されたバーコードとタグに取り付けられたＩＣチップとのうちの少なくとも一方からユニーク識別子を所定の通信端末に登録し、通信端末に登録されたユニーク識別子に対応するリユース商品が盗取された場合、所定の盗難信号とともに盗取されたリユース商品のユニーク識別子を通信端末からリユース商品流通管理システムに送信し、リユース商品流通管理システムが通信端末から送信された盗難品のユニーク識別子を逐次受信するユニーク識別子受信手段を含み、不正商品識別子記憶手段がユニーク識別子受信手段によって逐次受信した盗難品のユニーク識別子が示す商品識別子を不正商品識別子として記憶更新する。
【００２０】
本発明のリユース商品流通管理システムの他の一例としては、通信端末が、リユース商品を市場に流通させる企業の通信端末、リユース商品を売買する個人ユーザーの携帯通信端末であり、リユース商品流通管理システムでは、企業の通信端末または個人ユーザーの携帯通信端末からリユース商品流通管理システムの通信端末に盗難信号および盗取されたリユース商品のユニーク識別子を送信する。
【００２１】
前記課題を解決するための本発明の第２の前提は、独自の商品識別子を有する各種複数のリユース商品の流通を管理するリユース商品流通管理方法である。
【００２２】
前記第２の前提における本発明のリユース商品流通管理方法の特徴は、リユース商品流通管理方法が、リユース商品が不正商品である場合、不正商品の独自の商品識別子を不正商品識別子として記憶する不正商品識別子記憶工程と、リユース商品の流通時に、不正商品識別子記憶工程によって記憶した不正商品識別子を参照しつつ流通対象のリユース商品が不正商品に該当するかを判断する不正商品判断工程と、不正商品判断工程によって流通対象のリユース商品が不正商品に該当すると判断した場合、不正商品メッセージを出力する不正商品メッセージ出力工程とを有することにある。
【００２３】
本発明のリユース商品流通管理方法の一例としては、リユース商品流通管理方法が、リユース商品の流通時に、流通対象のリユース商品の商品識別子を入力する商品識別子入力工程を含み、不正商品判断工程が商品識別子入力工程によって入力された商品識別子と不正商品識別子記憶工程によって記憶した不正商品識別子とを比較し、商品識別子と不正商品識別子とが一致した場合に流通対象のリユース商品が不正商品に該当すると判断する。
【００２４】
本発明のリユース商品流通管理方法の他の一例としては、リユース商品流通管理方法が、リユース商品の商品識別子を示すユニーク識別子を生成するユニーク識別子生成工程と、リユース商品の商品識別子をユニーク識別子生成工程によって生成したユニーク識別子に関連付けた状態で記憶する商品識別子記憶工程と、ユニーク識別子を表すバーコードとユニーク識別子を記憶したＩＣチップとのうちの少なくとも一方を備えたタグをリユース商品に附属させるタグ附属工程とを含み、リユース商品流通管理方法では、タグに表示されたバーコードを読み取ることでユニーク識別子に関連付けられたリユース商品の商品識別子が特定され、または、ＩＣチップに記憶されたユニーク識別子を読み取ることでユニーク識別子に関連付けられたリユース商品の商品識別子が特定される。
【００２５】
本発明のリユース商品流通管理方法の他の一例としては、不正商品が不法に盗取された盗難品であり、不正商品判断工程が不正商品識別子を参照しつつ流通対象のリユース商品が盗難品に該当するかを判断し、不正商品メッセージ出力工程が盗難品メッセージを出力する。
【００２６】
本発明のリユース商品流通管理方法の他の一例としては、リユース商品流通管理方法が盗難品の商品識別子を所定の提供者から逐次受信する商品識別子受信工程を含み、不正商品識別子記憶工程が商品識別子受信工程によって逐次受信した盗難品の商品識別子を不正商品識別子として記憶更新する。
【００２７】
本発明のリユース商品流通管理方法の他の一例としては、リユース商品流通管理方法が、リユース商品の流通に必要なリユース商品の商品データを商品識別子またはユニーク識別子に関連付けた状態で記憶する商品データ記憶工程と、リユース商品の流通時に、商品識別子またはユニーク識別子に対応する商品データを出力する商品データ出力工程とを含む。
【００２８】
本発明のリユース商品流通管理方法の他の一例としては、商品データ出力工程が、バーコードに表されたユニーク識別子が示す商品識別子に対応する商品データを出力し、または、ＩＣチップに記憶されたユニーク識別子が示す商品識別子に対応する商品データを出力する。
【００２９】
本発明のリユース商品流通管理方法の他の一例としては、リユース商品流通管理方法が、リユース商品の流通に必要なリユース商品の流通履歴データを商品識別子またはユニーク識別子に関連付けた状態で記憶する流通履歴データ記憶工程と、リユース商品の流通時に、商品識別子またはユニーク識別子に対応する流通履歴データを出力する流通履歴データ出力工程とを含む。
【００３０】
本発明のリユース商品流通管理方法の他の一例としては、流通履歴データ出力工程が、バーコードに表されたユニーク識別子が示す商品識別子に対応する流通履歴データを出力し、または、ＩＣチップに記憶されたユニーク識別子が示す商品識別子に対応する流通履歴データを出力する。
【００３１】
本発明のリユース商品流通管理方法の他の一例としては、リユース商品の流通時が、企業対企業におけるリユース商品の売買時、企業対個人ユーザーにおけるリユース商品の売買時、個人ユーザー対個人ユーザーにおけるリユース商品の売買時である。
【００３２】
本発明のリユース商品流通管理方法の他の一例としては、企業対企業におけるリユース商品の売買が、企業対企業におけるリユース商品のオークションであり、企業対個人ユーザーにおけるリユース商品の売買と個人ユーザー対個人ユーザーにおけるリユース商品の売買とが、所定のウェブサイトを利用した企業対個人ユーザーおよび個人ユーザー対個人ユーザーにおけるリユース商品の売買である。
【００３３】
本発明のリユース商品流通管理方法の他の一例としては、リユース商品流通管理方法が、タグに表示されたバーコードとタグに取り付けられたＩＣチップとのうちの少なくとも一方からユニーク識別子を所定の通信端末に登録するユニーク識別子登録工程と、ユニーク識別子登録工程によって通信端末に登録されたユニーク識別子に対応するリユース商品が盗取された場合、所定の盗難信号とともに盗取されたリユース商品のユニーク識別子を通信端末からリユース商品流通管理システムに送信するユニーク識別子送信工程と、通信端末から送信された盗難品のユニーク識別子を逐次受信するユニーク識別子受信工程を含み、不正商品識別子記憶工程が、ユニーク識別子受信工程によって逐次受信した盗難品のユニーク識別子が示す商品識別子を不正商品識別子として記憶更新する。
【００３４】
本発明のリユース商品流通管理方法の他の一例としては、通信端末が、リユース商品を市場に流通させる企業の通信端末、リユース商品を売買する個人ユーザーの携帯通信端末であり、商品識別子送信工程が、企業の通信端末または個人ユーザーの携帯通信端末からリユース商品流通管理システムの通信端末に盗難信号および盗取されたリユース商品のユニーク識別子を送信する。
【発明の効果】
【００３５】
本発明に係るリユース商品流通管理システムおよびユース商品流通管理方法によれば、リユース商品が不正商品である場合に不正商品の独自の商品識別子を不正商品識別子として記憶し、リユース商品の流通時に、不正商品識別子を参照しつつ流通対象のリユース商品が不正商品に該当するかを判断するとともに、流通対象のリユース商品が不正商品に該当すると判断した場合、不正商品メッセージを出力するから、不正商品メッセージによってリユース商品が不正商品であることを知らせることができ、不正商品メッセージを見ることでリユース商品が不正商品であることが分かり、リユース市場におけるリユース商品の流通において不正商品を見破ることができるとともに、不正商品のリユース市場への流通を防ぐことができる。リユース商品流通管理システムおよびユース商品流通管理方法は、それら不正商品の売買を防ぐことができ、真正なリユース商品のみをリユース市場に流通させることができるとともに、リユース市場において真正なリユース商品を売買させることができる。リユース商品流通管理システムおよびユース商品流通管理方法は、リユース市場における不正商品の流通や不正商品の売買を防ぐことができるから、リユース商品の取引の安全を図ることができ、真正なリユース商品が取引される安全かつ安心なリユース市場を構築することができる。
【００３６】
リユース商品の流通時に、流通対象のリユース商品の商品識別子を入力し、入力された商品識別子と記憶した不正商品識別子とを比較し、商品識別子と不正商品識別子とが一致した場合に流通対象のリユース商品が不正商品に該当すると判断するリユース商品流通管理システムおよびリユース商品流通管理方法は、リユース商品の流通時に商品識別子を入力し、入力した商品識別子が不正商品識別子に一致した場合、流通対象のリユース商品を不正商品と判断するから、リユース市場におけるリユース商品の流通において不正商品が見落とされることはなく、リユース市場におけるリユース商品の流通において不正商品を確実に見破ることができ、不正商品のリユース市場への流通を防ぐことができる。リユース商品流通管理システムおよびリユース商品流通管理方法は、リユース商品の流通時にリユース商品が不正商品であるか否かを判断するから、リユース商品がリユース市場において流通する度毎に不正商品であるかの判断を行うことができ、不正商品のリユース市場における流通を確実に防ぐことができる。リユース商品流通管理システムおよびリユース商品流通管理方法は、それら不正商品の売買を防ぐことができ、真正なリユース商品のみをリユース市場に流通させることができるとともに、リユース市場において真正なリユース商品を売買させることができる。
【００３７】
リユース商品の商品識別子を示すユニーク識別子を生成し、生成したユニーク識別子にリユース商品の商品識別子を関連付けた状態で記憶し、ユニーク識別子を表すバーコードとユニーク識別子を記憶したＩＣチップとのうちの少なくとも一方を備えたタグをリユース商品に附属させ、タグに表示されたバーコードを読み取ることでユニーク識別子に関連付けられたリユース商品の商品識別子が特定され、または、ＩＣチップに記憶されたユニーク識別子を読み取ることでユニーク識別子に関連付けられたリユース商品の商品識別子が特定されるリユース商品流通管理システムおよびリユース商品流通管理方法は、タグに表示されたバーコードやタグに取り付けられたＩＣチップを読み取ることで、ユニーク識別子に関連付けられたリユース商品の商品識別子が特定されるから、リユース商品の流通時に商品識別子を直ちに特定することができ、リユース商品の流通時にリユース商品が不正商品であるか否かを直ちに判断することができる。リユース商品流通管理システムおよびリユース商品流通管理方法は、タグに表示されたバーコードやタグに取り付けられたＩＣチップを利用してリユース商品が不正商品であるか否かを直ちに判断するから、リユース市場におけるリユース商品の流通において不正商品を確実に見破ることができ、不正商品のリユース市場への流通を防ぐことができるとともに、それら不正商品の売買を確実に防ぐことができる。リユース商品流通管理システムおよびリユース商品流通管理方法は、リユース商品に附属するタグを利用してリユース商品の流通時にリユース商品が不正商品であるか否かを判断するから、リユース商品がリユース市場において流通する度毎に不正商品であるかの判断を直ちに行うことができ、不正商品のリユース市場における流通を確実に防ぐことができるとともに、リユース市場において真正なリユース商品を売買させることができる。
【００３８】
不正商品が不法に盗取された盗難品であり、不正商品識別子を参照しつつ流通対象のリユース商品が盗難品に該当するかを判断し、流通対象のリユース商品が盗難品に該当すると判断した場合、盗難品メッセージを出力するリユース商品流通管理システムおよびリユース商品流通管理方法は、盗難メッセージを見ることでリユース商品が盗難品であることが分かり、リユース市場におけるリユース商品の流通において盗難品を見破ることができ、盗難品のリユース市場への流通を防ぐことができるとともに、それら盗難品の売買を防ぐことができる。リユース商品流通管理システムおよびリユース商品流通管理方法は、リユース市場における盗難品の流通や盗難品の売買を防ぐことができるから、リユース商品の取引の安全を図ることができ、真正なリユース商品が取引される安全かつ安心なリユース市場を構築することができる。
【００３９】
盗難品の商品識別子を所定の提供者から逐次受信し、逐次受信した盗難品の商品識別子を不正商品識別子として記憶更新するリユース商品流通管理システムおよびリユース商品流通管理方法は、所定の提供者（たとえば、捜査機関や官公庁、会員事業者、協賛企業等）から提供された盗難品の商品識別子を不正商品識別子として記憶更新するから、信頼性が極めて高い盗難品の不正商品識別子を逐次取得することができ、最新の盗難情報に基づいてリユース商品が盗難品であるか否かを判断することができる。リユース商品流通管理システムおよびリユース商品流通管理方法は、所定の提供者から提供された信頼性が極めて高い盗難品の不正商品識別子に基づいてリユース商品が盗難品であるか否かを判断するから、リユース市場におけるリユース商品の流通において盗難品を確実に見破ることができ、盗難品のリユース市場への流通を防ぐことができるとともに、それら盗難品の売買を確実に防ぐことができる。リユース商品流通管理システムおよびリユース商品流通管理方法は、リユース市場における盗難品の流通や盗難品の売買を防ぐことができるから、リユース商品の取引の安全を図ることができ、真正なリユース商品が取引される安全かつ安心なリユース市場を構築することができる。
【００４０】
リユース商品の流通に必要なリユース商品の商品データを商品識別子またはユニーク識別子に関連付けた状態で記憶し、リユース商品の流通時に、商品識別子またはユニーク識別子に対応する商品データを出力するリユース商品流通管理システムおよびリユース商品流通管理方法は、リユース商品の独自の商品識別子やユニーク識別子を利用し、各リユース商品の流通や売買に必要な商品データを一元的に管理することができ、リユース商品の流通時にリユース商品の各種商品データを入力する手間を省くことができ、リユース市場において各リユース商品をスムースに流通させることができる。リユース商品流通管理システムおよびリユース商品流通管理方法は、各リユース商品の流通や売買に必要なリユース商品の商品データをその流通の度毎に出力することができ、各リユース商品の流通や売買に必要なリユース商品の商品データを流通の度毎に知ることができる。リユース商品流通管理システムおよびリユース商品流通管理方法は、各リユース商品の流通や売買に必要なリユース商品の商品データを流通の度毎に知ることができるから、リユース市場において各リユース商品を安心して取引することができる。
【００４１】
バーコードに表されたユニーク識別子が示す商品識別子に対応する商品データを出力し、または、ＩＣチップに記憶されたユニーク識別子が示す商品識別子に対応する商品データを出力するリユース商品流通管理システムおよびリユース商品流通管理方法は、ユニーク識別子を表すバーコードやユニーク識別子を記憶したＩＣチップを利用し、バーコードを読み取ることで、バーコードに表されたユニーク識別子が示す商品識別子に対応する商品データを直ちに出力することができ、ＩＣチップを読み取ることで、ＩＣチップに記憶されたユニーク識別子が示す商品識別子に対応する商品データを直ちに出力することができる。リユース商品流通管理システムおよびリユース商品流通管理方法は、バーコードに表されたユニーク識別子が示す商品識別子に対応する商品データやＩＣチップに記憶されたユニーク識別子が示す商品識別子に対応する商品データを直ちに出力することができるから、各リユース商品の流通や売買に必要なリユース商品の商品データを流通の度毎に直ちに知ることができ、リユース市場において各リユース商品をスムースかつ安心して取引することができる。
【００４２】
リユース商品の流通に必要なリユース商品の流通履歴データを商品識別子またはユニーク識別子に関連付けた状態で記憶し、リユース商品の流通時に、商品識別子またはユニーク識別子に対応する流通履歴データを出力するリユース商品流通管理システムおよびリユース商品流通管理方法は、リユース商品の独自の商品識別子やユニーク識別子を利用し、各リユース商品の流通や売買に必要な流通履歴データを一元的に管理することができ、リユース商品の流通時にリユース商品の各種流通履歴データを入力する手間を省くことができ、リユース市場において各リユース商品をスムースに流通させることができる。リユース商品流通管理システムおよびリユース商品流通管理方法は、各リユース商品の流通や売買に必要なリユース商品の流通履歴データをその流通の度毎に出力することができ、各リユース商品の流通や売買に必要なリユース商品の流通履歴データを流通の度毎に知ることができる。リユース商品流通管理システムおよびリユース商品流通管理方法は、各リユース商品の流通や売買に必要なリユース商品の流通履歴データを流通の度毎に知ることができるから、リユース市場において各リユース商品をスムースかつ安心して取引することができる。
【００４３】
バーコードに表されたユニーク識別子が示す商品識別子に対応する流通履歴データを出力し、または、ＩＣチップに記憶されたユニーク識別子が示す商品識別子に対応する流通履歴データを出力するリユース商品流通管理システムおよびリユース商品流通管理方法は、ユニーク識別子を表すバーコードやユニーク識別子を記憶したＩＣチップを利用し、バーコードを読み取ることで、バーコードが表すユニーク識別子に対応する流通履歴データを直ちに出力することができ、ＩＣチップを読み取ることで、ＩＣチップに記憶されたユニーク識別子に対応する流通履歴データを直ちに出力することができる。リユース商品流通管理システムおよびリユース商品流通管理方法は、バーコードが表すユニーク識別子に対応する流通履歴データやＩＣチップに記憶されたユニーク識別子に対応する流通履歴データを直ちに出力することができるから、各リユース商品の流通や売買に必要なリユース商品の流通履歴データを流通の度毎に知ることができ、リユース市場において各リユース商品をスムースかつ安心して取引することができる。
【００４４】
リユース商品の流通時が企業対企業におけるリユース商品の売買時、企業対個人ユーザーにおけるリユース商品の売買時、個人ユーザー対個人ユーザーにおけるリユース商品の売買時であるリユース商品流通管理システムおよびリユース商品流通管理方法は、企業対企業におけるリユース商品の売買時や企業対個人ユーザーにおけるリユース商品の売買時、個人ユーザー対個人ユーザーにおけるリユース商品の売買時に不正商品を見破ることができ、企業対企業におけるリユース商品の売買時や企業対個人ユーザーにおけるリユース商品の売買時、個人ユーザー対個人ユーザーにおけるリユース商品の売買時における不正商品の売買を防ぐことができ、企業対企業や企業対個人ユーザー、個人ユーザー対個人ユーザーにおいてリユース商品を安全に売買することができる。
【００４５】
企業対企業におけるリユース商品の売買が企業対企業におけるリユース商品のオークションであり、企業対個人ユーザーにおけるリユース商品の売買と個人ユーザー対個人ユーザーにおけるリユース商品の売買とが所定のウェブサイトを利用した企業対個人ユーザーおよび個人ユーザー対個人ユーザーにおけるリユース商品の売買であるリユース商品流通管理システムおよびリユース商品流通管理方法は、企業対企業におけるリユース商品のオークション時や企業対個人ユーザーおよび個人ユーザー対個人ユーザーにおける所定のウェブサイトを利用したリユース商品の売買時に不正商品を見破ることができ、企業対企業におけるリユース商品のオークション時や企業対個人ユーザーおよび個人ユーザー対個人ユーザーにおける所定のウェブサイトを利用したリユース商品の売買時に不正商品の売買を防ぐことができ、企業対企業や企業対個人ユーザー、個人ユーザー対個人ユーザーにおいてリユース商品を安全に売買することができる。
【００４６】
タグに表示されたバーコードとタグに取り付けられたＩＣチップとのうちの少なくとも一方からユニーク識別子を所定の通信端末に登録し、通信端末に登録されたユニーク識別子に対応するリユース商品が盗取された場合、所定の盗難信号とともに盗取されたリユース商品のユニーク識別子を通信端末からリユース商品流通管理システムに送信し、通信端末から送信された盗難品のユニーク識別子を逐次受信するとともに、逐次受信した盗難品のユニーク識別子が示す商品識別子を不正商品識別子として記憶更新するリユース商品流通管理システムおよびリユース商品流通管理方法は、タグに表示されたバーコードやタグに取り付けられたＩＣチップからユニーク識別子を所定の通信端末に登録することで、タグを紛失したとしても、ユニーク識別子を確保することができ、通信端末に登録されたユニーク識別子に対応するリユース商品が盗取された場合、所定の盗難信号とともに盗取されたリユース商品のユニーク識別子を通信端末からリユース商品流通管理システムに送信することで、その盗難品のユニーク識別子に対応する商品識別子を不正商品識別子として直ちに記憶することができ、盗難品のリユース市場への流通や盗難品の売買を迅速に防ぐことができる。
【００４７】
通信端末がリユース商品を市場に流通させる企業の通信端末、リユース商品を売買する個人ユーザーの携帯通信端末であり、企業の通信端末または個人ユーザーの携帯通信端末からリユース商品流通管理システムの通信端末に盗難信号および盗取されたリユース商品のユニーク識別子を送信するリユース商品流通管理システムおよびリユース商品流通管理方法は、タグが附属するリユース商品を所持する企業や個人ユーザーがそのリユース商品を盗取された場合、所定の盗難信号とともに盗取されたリユース商品のユニーク識別子を通信端末や携帯通信端末からリユース商品流通管理システムの通信端末に送信することで、その盗難品のユニーク識別子に対応する商品識別子を不正商品識別子として直ちに記憶することができ、盗難品のリユース市場への流通や盗難品の売買を迅速に防ぐことができる。
【図面の簡単な説明】
【００４８】
【図１】リユース商品流通管理システムの利用形態の一例を示す図。
【図２】時計Ｗ（盗難品）のシリアル番号（商品識別子）受信の一例を説明する図。
【図３】、時計Ｗ（新品またはリユース商品）の買取およびオークションの利用形態の一例を示す図。
【図４】時計Ｗ（新品またはリユース商品）の買取の一例を説明するフロー図。
【図５】時計Ｗ（リユース商品）に附属させるタグの一例を示す図。
【図６】買取業者Ｄにおけるシリアル番号（商品識別子）登録手順の一例を示すフロー図。
【図７】買取業者Ｄにおける商品データ登録手順の一例を示すフロー図。
【図８】時計Ｗ（ユース商品）のオークションの一例を説明するフロー図。
【図９】商品データ出力手順の一例を示すフロー図。
【図１０】商品情報表示画面の一例を示す図。
【図１１】オークション事業者Ｅにおける商品データ登録手順の一例を示すフロー図。
【図１２】時計Ｗ（リユース商品）の販売の利用形態の一例を示す図。
【図１３】時計Ｗ（リユース商品）の販売の一例を説明するフロー図。
【図１４】商品情報表示画面の他の一例を示す図。
【図１５】販売業者における商品データ登録手順の一例を示すフロー図。
【図１６】ユニーク識別子の事前登録の一例を説明するフロー図。
【発明を実施するための形態】
【００４９】
リユース商品流通管理システムの利用形態の一例を示す図である図１等の添付の図面を参照し、本発明に係るリユース商品流通管理システムおよびリユース商品流通管理方法の詳細を説明すると、以下のとおりである。リユース商品流通管理システムおよびリユース商品流通管理方法は、独自の商品識別子を有する各種複数のリユース商品の流通を管理することで、リユース市場における不正商品の流通を監視し、不正商品が流通過程において売買されることを防止する。
【００５０】
リユース商品としてシリアル番号（商品識別子）を有する時計Ｗを例とし、不正商品として盗取された時計Ｗ（盗難品）を例とするとともに、盗取された時計Ｗの盗難品（不正商品）のシリアル番号の提供者として捜査機関Ｂを例としてリユース商品流通管理システムおよびリユース商品流通管理方法を説明する。なお、リユース商品には、時計Ｗの他に、シリアル番号や個体識別番号等の独自の商品識別子を有するあらゆるリユース商品が含まれる。不正商品には、盗難品の他に、偽物やレプリカ、コピー品、禁輸品、欠陥品、知的財産権侵害品等が含まれる。時計Ｗの盗難品のシリアル番号の提供者には、捜査機関Ｂの他に、官公庁や会員事業者、協賛企業等の善意の提供者が含まれる。
【００５１】
リユース商品流通管理システムは、システムを提供（管理運営）するシステム提供者Ａ（事業法人）が契約するデータセンター１０（クラウドを含む）に構築されている。なお、リユース商品流通管理システムがそれを管理運営するシステム提供者Ａの事業所に設置されたシステム提供者サーバ１１に構築されていてもよい。データセンター１０またはシステム提供者サーバ１１には、ＱＲコード（登録商標）（バーコード）作成アプリケーションがインストールされている。
【００５２】
なお、リユース商品流通管理システム（リユース商品流通管理方法）では、ＱＲコードを利用しているが、ＱＲコードの他のＳＰコードやベリコード、マキシコード、ＣＰコード、DataMatrix、Code1、AztecCode、Super Code、Ultra Code等の既存の二次元バーコードまたは今後開発されるあらたな二次元バーコードを使用することもできる。また、二次元バーコードではなく一次元バーコードを利用することもできる。
【００５３】
リユース商品流通管理システム（リユース商品流通管理方法）は、それを実行するためのシステム実行アプリケーションがリユース商品（時計Ｗ）の買取業者Ｄの事業所に設置された買取業者サーバ１２、リユース商品（時計Ｗ）のオークションを管理運営するオークション事業者Ｅのオークション会場に設置されたオークション事業者サーバ１３、リユース商品（時計Ｗ）の販売業者Ｆの事業所に設置された販売業者サーバ１４、ウェブサイト（ＥＣサイト）を管理運営するウェブサイト事業者Ｇのウェブサイト事業者サーバ１５、各国の捜査機関Ｂに設置された捜査機関サーバ１６、リユース商品を買い取る買い手Ｈ（企業または個人ユーザー）が所持するスマートフォン１７にインストールされている。
【００５４】
買取業者Ｄやオークション事業者Ｅ、販売業者Ｆ、ウェブサイト事業者Ｇ、買い手Ｈ（企業または個人ユーザー）は、システム提供者Ａとシステム利用契約を締結し、システムの会員事業者や個人会員になることでリユース商品流通管理システムを実行するアプリケーションが提供され、リユース商品流通管理システムが提供するサービスを受けることができる。なお、買い手Ｈ（企業または個人ユーザー）とはシステム利用契約を締結しない場合があり、この場合、買い手Ｈ（企業または個人ユーザー）は、リユース商品の買取時におけるリユース商品流通管理システムが提供するサービスを受けることができない。
【００５５】
図１では、１台の買取業者サーバ１２や１台のオークション事業者サーバ１３、１台の販売業者サーバ１４、１台のウェブサイト事業者サーバ１５、１台の捜査機関サーバ１６、１台のスマートフォン１７を図示しているが、実際のリユース商品流通管理システム（リユース商品流通管理方法）では、複数台の買取業者サーバ１２やオークション事業者サーバ１３、販売業者サーバ１４、ウェブサイト事業者サーバ１５、捜査機関サーバ１６、スマートフォン１７が存在する。なお、買い手Ｈ（企業または個人ユーザー）は、スマートフォン１７の他に、自己が所有するパソコンやタブレットによってリユース商品を買い取ることができる。
【００５６】
買取業者サーバ１２やオークション事業者サーバ１３、販売業者サーバ１４、ウェブサイト事業者サーバ１５、捜査機関サーバ１６は、買取業者Ｄやオークション事業者Ｅ、販売業者Ｆ、ウェブサイト事業者Ｇの事業所や各捜査機関Ｂに設置される場合、または、それら業者Ｄ〜Ｇや各捜査機関Ｂが契約するデータセンター（クラウドを含む）に設置される場合がある。システム提供者サーバ１１や買取業者サーバ１２、オークション事業者サーバ１３、販売業者サーバ１４、ウェブサイト事業者サーバ１５、捜査機関サーバ１６は、中央処理部（ＣＰＵまたはＭＰＵ）とメモリ（メインメモリおよびキャッシュメモリ）とを有して独立したオペレーティングシステム（ＯＳ）によって動作するコンピュータ（仮想マシンを含む）であり、大容量記憶領域（大容量ハードディスク等）を実装している。システム提供者サーバ１１の大容量記憶領域には、盗難情報データベース、商品情報データベース、顧客情報データベースが作成されている。
【００５７】
システム提供者サーバ１１や買取業者サーバ１２、オークション事業者サーバ１３、販売業者サーバ１４、ウェブサイト事業者サーバ１５、捜査機関サーバ１６は、ＤＮＳサーバ機能、データベースサーバ機能、Ｗｅｂサーバ機能、メールサーバ機能、ドキュメントサーバ機能の各種サーバ機能を有し、インターネット１８に接続された各種複数のＤＮＳサーバ等を経由しつつ、インターネット１８を利用してアクセス制限がない不特定多数のサーバや携帯通信端末（スマートフォンやタブレット等）にアクセスかつログインすることができるとともに、インターネット１８において各種検索エンジンを利用することができる。スマートフォン１７は、メモリに格納されたウェブブラウザを利用してインターネット１８に接続可能であり、インターネット１８を利用してアクセス制限がない不特定多数の他のサーバや携帯通信端末にアクセスかつログインすることができるとともに、インターネット１８において各種検索エンジンを利用することができる。
【００５８】
システム提供者サーバ１１の記憶領域に作られた顧客情報データベースには、買取業者サーバ１２やオークション事業者サーバ１３、販売業者サーバ１４、ウェブサイト事業者サーバ１５、捜査機関サーバ１６のサーバ特定情報（サーバ識別子）およびＵＲＬ、スマートフォン１７の通信端末特定情報（通信端末識別子）およびＵＲＬ、売り手Ｃ（所有者や占有者等の企業または個人ユーザー）や買取業者Ｄ、オークション事業者Ｅ、販売業者Ｆ、ウェブサイト事業者Ｇのメールアドレスおよび個別情報が格納（記憶）されている。
【００５９】
システム提供者サーバ１１の記憶領域に作られた商品情報データベースには、各種複数の時計Ｗ（リユース商品）の買い取り価格や各種複数の時計Ｗ（リユース商品）の商品データが時計Ｗのシリアル番号（商品識別子）に関連付けられた状態で格納（記憶）されている。時計Ｗ（リユース商品）の買い取り価格は、時計Ｗの機種（型式）や製造年月日によって異なり、随時最新のものに更新される。時計Ｗの機種（型式）や製造年月日は、時計Ｗのシリアル番号（商品識別子）によって特定される。時計Ｗの商品データには、時計Ｗの製造メーカー、時計Ｗの製造年月日、時計Ｗのシリーズ名、時計Ｗの新品時の値段等が含まれる。
【００６０】
サーバ特定情報や通信端末特定情報には、それらのＩＰアドレスやＭＡＣアドレス、ＵＲＬ、メールアドレス、Ｃｏｏｋｉｅ情報、固体識別番号等を利用することができる他、それらを識別するユニークな識別子を利用することができる。売り手Ｃ（所有者や占有者等の企業または個人ユーザー）や買取業者Ｄ、オークション事業者Ｅ、販売業者Ｆ、ウェブサイト事業者Ｇの個別情報には、事業者コード（買取業者コード、オークション事業者コード、販売業者コード、ウェブサイト事業者コード）や個人ユーザーコード、事業者や個人ユーザーのＩＤ番号やパスワード、事業者や個人ユーザーの法人名や氏名、名称、事業者や個人ユーザーの住所または居所、事業者や個人ユーザーの電話番号（固定電話番号や携帯電話番号）、事業者や個人ユーザーのＦＡＸ番号、個人ユーザーの年齢や性別等がある。
【００６１】
図２は、時計Ｗ（盗難品）のシリアル番号（商品識別子）受信の一例を説明する図である。盗取された時計Ｗ（盗難品）のシリアル番号（商品識別子）は、各国の捜査機関からシステム提供者に伝えられる。図２では、Ａ国〜Ｃ国を図示しているが、国に制限はなく、時計Ｗ（盗難品）の商品識別子を提供するあらゆる国が含まれる。各国の捜査機関は、個人や各事業者から時計Ｗの盗難届が提出された場合、または、時計Ｗが盗難品であることを知った場合、捜査機関サーバ１６ａ〜１６ｃを利用して時計Ｗ（盗難品）のシリアル番号（商品識別子）をシステム提供者Ａに提供する。
【００６２】
各捜査機関の担当者は、各捜査機関サーバ１６ａ〜１６ｃにおいてシステム実行アプリケーションを起動した後、インターネット１８に接続する。次に、システム提供者サーバ１１のＵＲＬを利用してシステム提供者サーバ１１にアクセスかつログインする。システム提供者サーバ１１にログインした後、時計Ｗ（盗難品）のシリアル番号（商品識別子）、時計Ｗ（盗難品）の各種盗難品データをシステム提供者サーバ１１に送信する（商品識別子第１送信手段（商品識別子第１送信工程））。なお、時計Ｗ（盗難品）のシリアル番号（商品識別子）や時計Ｗ（盗難品）の各種盗難品データは、各捜査機関サーバ１６ａ〜１６ｃに記憶されている。
【００６３】
時計Ｗ（盗難品）の盗難品データには、盗取された時計Ｗの製造メーカー、盗取された時計Ｗの名称（シリーズ名）、盗取された時計Ｗの新品時の値段、盗取された時計Ｗの製造年月日、盗難日時、盗難場所、盗取された時計Ｗの所有者または占有者データ、データ提供国名等が含まれる。なお、時計Ｗ（盗難品）のシリアル番号提供者に官公庁や会員事業者、協賛企業等が含まれる場合は、時計Ｗ（盗難品）のシリアル番号（商品識別子）や時計Ｗ（盗難品）の各種盗難品データが官公庁や会員事業者、協賛企業等のサーバからシステム提供者サーバ１１に送信される。
【００６４】
システム提供者サーバ１１は、それら捜査機関サーバ１６ａ〜１６ｃから送信された時計Ｗ（盗難品）のシリアル番号（商品識別子）、時計Ｗ（盗難品）の各種商品データを受信する（商品識別子受信手段（商品識別子受信工程））。システム提供者サーバ１１は、受信した時計Ｗ（盗難品）のシリアル番号（商品識別子）を不正商品識別子として盗難情報データベースに格納（記憶）するとともに（不正商品識別子記憶手段（不正商品識別子記憶工程））、時計Ｗ（盗難品）の各種盗難品データをシリアル番号（商品識別子）に関連付けた状態で盗難情報データベースに格納（記憶）する。なお、時計Ｗ（盗難品）のシリアル番号の受信時にシステム提供者サーバ１１がユニーク識別子（ＧＵＩＤ等）を生成し、時計Ｗ（盗難品）の不正商品識別子（シリアル番号）と時計Ｗ（盗難品）の各種盗難品データとをユニーク識別子に関連付けた状態で盗難情報データベースに格納（記憶）する場合もある。
【００６５】
時計Ｗ（盗難品）のシリアル番号（商品識別子）および時計Ｗ（盗難品）の各種盗難品データは、それら捜査機関サーバ１６ａ〜１６ｃからシステム提供者サーバ１１に逐次送信される。システム提供者サーバ１１は、時計Ｗ（盗難品）のシリアル番号（商品識別子）および時計Ｗ（盗難品）の各種盗難品データをそれら捜査機関サーバ１６ａ〜１６ｃから逐次受信し、逐次受信した時計Ｗ（盗難品）のシリアル番号（商品識別子）を受信する度毎に不正商品識別子として記憶更新するとともに、逐次受信した時計Ｗ（盗難品）の各種盗難品データを受信する度毎に記憶更新する。システム提供者サーバ１１の盗難情報データベースには、それら捜査機関サーバ１６ａ〜１６ｃから逐次送信された時計Ｗ（盗難品）の不正商品識別子（シリアル番号）および時計Ｗ（盗難品）の各種盗難品データが蓄積される。
【００６６】
図３は、時計Ｗ（新品またはリユース商品）の買取およびオークションの利用形態の一例を示す図であり、図４は、時計Ｗ（新品またはリユース商品）の買取の一例を説明するフロー図である。図５は、時計Ｗ（リユース商品）に附属させるタグ１９の一例を示す図であり、図６は、買取業者Ｄにおけるシリアル番号（商品識別子）登録手順の一例を示すフロー図である。図７は、買取業者Ｄにおける商品データ登録手順の一例を示すフロー図である。以下の説明では、システム提供者サーバ１１、買取業者サーバ１２、オークション事業者サーバ１３、販売業者サーバ１４、ウェブサイト事業者サーバ１５、スマートフォン１７においてシステム実行アプリケーションが起動しているものとする。
【００６７】
時計Ｗ（新品またはリユース商品（中古品））は、図３に示すように、売り手Ｃ（所有者や占有者等の企業または個人ユーザー）から買取業者Ｄに買い取られた後、オークション事業者Ｅによってオークションにかけられる。時計Ｗ（新品またはリユース商品）は、所定の販売業者Ｆがオークションによって落札することによって販売業者Ｆに引き取られる。買取業者Ｄは、時計Ｗ（新品またはリユース商品）の買取を専門とする業者であり、販売業者Ｆは、時計Ｗ（リユース商品）の販売を専門とする業者である。
【００６８】
時計Ｗ（新品またはリユース商品）の売り手Ｃ（所有者や占有者等の企業または個人ユーザー）が時計Ｗを売る場合、図４に示すように、売り手Ｃが買取業者Ｄの店舗に来店し、時計Ｗの買い取りを買取業者Ｄに依頼し、売り渡し対象の時計Ｗを買取業者Ｄに提示する。なお、買取業者Ｄの買取業者サーバ１２は、システム実行アプリケーションが起動し、インターネット１８を介してシステム提供者サーバ１１にログインしている。
【００６９】
買取業者Ｄは、売り手Ｃの売り渡し意思を確認した後、買い取りカード（図示せず）を売り手Ｃに渡し、買い取りカードへの必要事項の記入を依頼する。買い取りカードの記入必要事項には、買い取り依頼年月日、売り手Ｃの法人名や氏名、住所または居所、メールアドレス、連絡先電話番号（固定電話番号、携帯電話番号）、ＦＡＸ番号、年齢や性別、時計Ｗのシリーズ名、時計Ｗのシリアル番号（商品識別子）等があるが、記入必要事項は任意に設定することができる。なお、時計Ｗが販売業者Ｆから購入したリユース商品（中古品）である場合、買い取りカードには、時計Ｗ（リユース商品）の販売業者名、時計Ｗ（リユース商品）の購入価格、時計Ｗ（リユース商品）の購入年月日を記入する。
【００７０】
売り手Ｃは、必要事項を記入した買い取りカードを買取業者Ｄに渡す。買取業者Ｄは、時計Ｗ（新品またはリユース商品）の買取時（リユース商品の流通時）に、時計Ｗ現物のシリアル番号（商品識別子）および買い取りカードに記入された時計Ｗのシリアル番号（商品識別子）を確認し、時計Ｗのシリアル番号（商品識別子）（買取依頼年月日を含む）を買取業者サーバ１２に入力する。入力された時計Ｗのシリアル番号（商品識別子）（買取業者名、買取業者コード、買取依頼年月日を含む）は、買取業者サーバ１２からシステム提供者サーバ１１に送信される。
【００７１】
買取業者サーバ１２から送信された時計Ｗのシリアル番号（商品識別子）は、システム提供者サーバ１１に入力される（商品識別子入力手段（商品識別子入力工程））。システム提供者サーバ１１は、時計Ｗ（新品またはリユース商品）の買取時（リユース商品の流通時）に、識別子入力手段（商品識別子入力工程）によって入力された時計Ｗのシリアル番号（商品識別子）（買取業者サーバ１２から送信された時計Ｗのシリアル番号）と不正商品識別子記憶手段（不正商品識別子記憶工程）によって盗難情報データベースに記憶した不正商品識別子とを比較し、時計Ｗのシリアル番号（商品識別子）と不正商品識別子とが一致した場合、買取対象（流通対象）の時計Ｗ（リユース商品）が盗難品（不正商品）に該当すると判断する（不正商品判断手段（不正商品判断工程）。
【００７２】
なお、後記するタグ１９が時計Ｗ（ユース商品）に附属している場合、買取業者サーバ１２に接続されたバーコードリーダやＩＣタグリーダ／ライタによってタグ１９に表示されたＱＲコード２０やタグ１９に設置されたＩＣチップ２１を読み込み、ＩＣチップ２１やＱＲコード２０から取得したユニーク識別子を買取業者サーバ１２からシステム提供者サーバ１１に送信する。システム提供者サーバ１１は、オークション事業者サーバ１３から送信されたユニーク識別子が示す時計Ｗのシリアル番号（商品識別子）を特定しつつ（商品識別子入力手段（商品識別子入力工程））、ユニーク識別子に対応する時計Ｗのシリアル番号（商品識別子）と不正商品識別子記憶手段（不正商品識別子記憶工程）によって記憶した不正商品識別子とを比較し、買取対象（流通対象）の時計Ｗ（リユース商品）が盗難品（不正商品）に該当するか否かと判断する（不正商品判断手段（不正商品判断工程）。
【００７３】
システム提供者サーバ１１は、買取対象（流通対象）の時計Ｗ（リユース商品）が盗難品（不正商品）に該当すると判断した場合、買取業者サーバ１２に接続されたディスプレイに盗難品メッセージ（不正商品メッセージ）を出力（表示）する（不正商品メッセージ出力手段（不正商品メッセージ出力工程））。不正商品メッセージは、盗品を示す文字や画像の他、音声で伝えることもできる。盗難品メッセージ（不正商品メッセージ）を見た買取業者Ｄは、時計Ｗ（新品またはリユース商品）の買い取りができないことを売り手Ｃに伝えるとともに、時計Ｗ（盗難品）の発見を捜査機関に伝える。
【００７４】
リユース商品流通管理システムおよびリユース商品流通管理方法は、時計Ｗ（新品またはリユース商品）の買取時（流通時）に時計Ｗのシリアル番号（商品識別子）を入力し、入力したシリアル番号（商品識別子）が不正商品識別子に一致した場合、買取対象（流通対象）の時計Ｗを盗難品（不正商品）と判断するから、時計Ｗ（新品またはリユース商品）の買取（流通）において盗難品（不正商品）が見落とされることはなく、時計Ｗ（新品またはリユース商品）の買取（流通）において盗難品（不正商品）を確実に見破ることができ、盗難品（不正商品）の買取（流通）を未然に防ぐことができるとともに、買取業者Ｄにおいて真正な時計Ｗの買取を行うことができる。
【００７５】
システム提供者サーバ１１は、入力された時計Ｗのシリアル番号（商品識別子）と記憶した不正商品識別子とを比較した結果、時計Ｗのシリアル番号（商品識別子）と不正商品識別子とが不一致の場合、買取対象（流通対象）の時計Ｗ（リユース商品）が不正商品に該当しないと判断する（不正商品判断手段（不正商品判断工程）。システム提供者サーバ１１は、買取対象（流通対象）の時計Ｗ（リユース商品）が不正商品に該当しないと判断した場合、買取業者サーバ１２に接続されたディスプレイに買取ＯＫメッセージを出力（表示）する（買取ＯＫメッセージ出力手段（買取ＯＫメッセージ出力工程））。買取ＯＫメッセージは、それを示す文字や画像の他、音声で伝えることもできる。
【００７６】
買取ＯＫメッセージを見た買取業者Ｄは、買取対象の時計Ｗ（新品またはリユース商品）の買い取り価格を売り手Ｃに提示する。買取対象の時計Ｗの買い取り価格は、システム提供者サーバ１１の商品情報データベースに記憶されている。システム提供者サーバ１１は、入力された買取対象の時計Ｗのシリアル番号（商品識別子）に対応する時計Ｗの買い取り価格を商品情報データベースから抽出し、その買い取り価格を買取業者サーバ１２に接続されたディスプレイに出力（表示）する。売り手Ｃが提示された買い取り価格で買い取りを承諾した場合、売買契約が成立する。買取業者Ｄは、契約書兼任の買い取りカードの控えを売り手Ｃに渡すとともに、買い取り金額（現金）を売り手Ｃに渡す。
【００７７】
次に、買取業者Ｄは、ＱＲコード（バーコード）生成のためのセルサイズやセル数、画像形式等を指定しつつ、ユニーク識別子の生成と生成したユニーク識別子を表すＱＲコード（バーコード）の生成とを買取業者サーバ１２を介してシステム提供者サーバ１１に要求する。システム提供者サーバ１１は、買取業者サーバ１２の要求に従ってユニーク識別子を生成するとともに（ユニーク識別子生成手段（ユニーク識別子生成工程））、生成したユニーク識別子を表すＱＲコード（バーコード）を生成し、生成したユニーク識別子とＱＲコードとを買取業者サーバ１２に送信する。システム提供者サーバ１１は、生成したユニーク識別子をキャッシュメモリに一時的に格納する。
【００７８】
買取業者Ｄは、買取業者サーバ１２に接続されたプリンターを利用し、受信したＱＲコード２０を表示（印刷）したタグ１９を作成する。タグ１９には、図５に示すように、その表面にユニーク識別子を表すＱＲコード２０が表示（印刷）されているとともに、ＩＣチップ２１が設置固定されている。買取業者Ｄは、買取業者サーバ１２に接続されたＩＣタグリーダ／ライタ（図示せず）を利用し、タグ１９に設置されたＩＣチップ２１にユニーク識別子を書き込む。なお、タグ１９には、ＱＲコード２０のみが表示されていてもよく、ＩＣチップ２１のみが設置固定されていてもよい。
【００７９】
次に、買取業者Ｄは、買取業者サーバ１２に接続されたバーコードリーダ（図示せず）を利用し、タグ１９に表示されたＱＲコード２０をバーコードリーダで読み込んでＱＲコード２０が表すユニーク識別子をシステム提供者サーバ１１に送信する。または、買取業者サーバ１２に接続されたＩＣタグリーダ／ライタを利用し、タグ１９に設置されたＩＣチップ２１に記憶されたユニーク識別子をＩＣタグリーダ／ライタで読み込んでそのユニーク識別子をシステム提供者サーバ１１に送信する。システム提供者サーバ１１は、買取業者サーバ１２からユニーク識別子を受信すると、図６に示すように、買取業者サーバ１２に接続されたディスプレイに買い取った時計Ｗのシリアル番号（商品識別子）のシリアル番号入力画面を表示する。
【００８０】
買取業者Ｄは、シリアル番号入力画面のシリアル番号入力エリアに買い取った時計Ｗのシリアル番号（商品識別子）を入力した後、登録ボタンをクリック（タップ）する。登録ボタンをクリック（タップ）すると、システム提供者サーバ１１は、入力されたシリアル番号（商品識別子）をユニーク識別子に関連付けた状態で商品情報データベースに格納（記憶）する（商品識別子記憶手段（商品識別子記憶工程））。
【００８１】
システム提供者サーバ１１は、シリアル番号（商品識別子）を商品情報データベースに格納した後、図７に示すように、買い取った時計Ｗの商品データや顧客データの商品・顧客データ入力画面を買取業者サーバ１２に接続されたディスプレイに表示する。商品・顧客データ入力画面には、商品データ入力エリアおよび顧客データ入力エリアが表示される。買取業者Ｄは、商品・顧客データ入力画面の商品データ入力エリアに時計Ｗ（リユース商品）の各種の商品データを入力するとともに、顧客データ入力エリアに売り手Ｃの各種の顧客データを入力する。
【００８２】
買取業者Ｄは、商品データ入力エリアや顧客データ入力エリアに商品データや顧客データを入力した後、登録ボタンをクリック（タップ）する。登録ボタンをクリック（タップ）すると、システム提供者サーバ１１は、入力された商品データや顧客データ（買取業者コード、買取日時を含む）をシリアル番号（商品識別子）とユニーク識別子とのうちの少なくとも一方に関連付けた状態で商品情報データベースや顧客情報データベースに格納（記憶）する（商品データ記憶手段（商品データ記憶工程））。
【００８３】
商品データ入力エリアに入力される商品データには、時計Ｗの製造メーカー、時計Ｗの製造年月日、時計Ｗのシリーズ名、時計Ｗの新品時の値段、時計Ｗの買い取り価格がある。顧客データ入力エリアに入力される顧客データには、売り手Ｃの氏名や名称、住所または居所、電話番号（固定電話番号や携帯電話番号）、ＦＡＸ番号、メールアドレス、年齢や性別等がある。
【００８４】
なお、時計Ｗがリユース商品であり、時計Ｗ（リユース商品）の買取業者Ｄによる買い取りが２回目以降の場合、買取業者サーバ１２に接続されたディスプレイには、商品データ入力エリア、顧客データ入力エリア、流通履歴データ入力エリアが表示される。流通履歴データ入力エリアには、１次〜ｎ次買取業者、１次〜ｎ次買取価格、１次〜ｎ次買取日時等の流通履歴データが入力される。顧客データ入力エリアには、１次〜ｎ次売り手Ｃの各種の顧客履歴データが入力される。システム提供者サーバ１１は、入力された流通履歴データや顧客履歴データをシリアル番号（商品識別子）とユニーク識別子とのうちの少なくとも一方に関連付けた状態で商品情報データベースや顧客情報データベースに格納（記憶）する（流通履歴データ記憶手段（流通履歴データ記憶工程））。時計Ｗ（リユース商品）の買い取り手続きが終了した後、買取業者Ｄは、買い取った時計Ｗにタグ１９を付けてその時計Ｗをオークション事業者Ｅに送る。
【００８５】
図８は、時計Ｗ（ユース商品）のオークションの一例を説明するフロー図であり、図９は、商品データ出力手順の一例を示すフロー図である。図１０は、商品情報表示画面の一例を示す図であり、図１１は、オークション事業者Ｅにおける商品データ登録手順の一例を示すフロー図である。タグ１９が附属した時計Ｗ（ユース商品）は、リユース商品のオークションを管理運営するオークション事業者Ｅのオークション会場においてオークションにかけられ、オークションによって所定の販売業者１４に落札される。
【００８６】
買い取られた時計Ｗ（ユース商品）が買取業者Ｄからオークション事業者Ｅに送られた後、オークション事業者Ｅは、オークション事業者サーバ１３に接続されたＩＣタグリーダ／ライタによって時計Ｗに付けられたタグ１９のＩＣチップ２１を読み込み、または、オークション事業者サーバ１３に接続されたバーコードリーダによってタグ１９に表示されたＱＲコード２０を読み込む。
【００８７】
オークション事業者サーバ１３は、ＩＣチップ２１に格納されたユニーク識別子を取得し、そのユニーク識別子をキャッシュメモリに一時的に格納し、または、ＱＲコード２０が示すユニーク識別子を取得し、そのユニーク識別子をキャッシュメモリに一時的に格納する。次に、オークション事業者サーバ１３は、図８に示すように、ＩＣチップ２１やＱＲコード２０から取得したユニーク識別子をシステム提供者サーバ１１に送信する。オークション事業者サーバ１３から送信されたユニーク識別子は、システム提供者サーバ１１に入力される。
【００８８】
システム提供者サーバ１１は、オークション事業者サーバ１３から送信されたユニーク識別子が示す時計Ｗのシリアル番号（商品識別子）を特定しつつ（商品識別子入力手段（商品識別子入力工程））、ユニーク識別子に対応する時計Ｗのシリアル番号（商品識別子）と不正商品識別子記憶手段（不正商品識別子記憶工程）によって記憶した不正商品識別子とを比較し、オークション対象（流通対象）の時計Ｗ（リユース商品）が盗難品（不正商品）に該当するか否かと判断する（不正商品判断手段（不正商品判断工程）。
【００８９】
システム提供者サーバ１１は、シリアル番号（商品識別子）と不正商品識別子とが一致し、オークション対象（流通対象）の時計Ｗ（リユース商品）が盗難品（不正商品）に該当すると判断した場合、買取業者サーバ１２やオークション事業者サーバ１３に接続されたディスプレイに盗難品メッセージ（不正商品メッセージ）を出力（表示）するとともに（不正商品メッセージ出力手段（不正商品メッセージ出力工程））、商品情報出力ボタンを出力（表示）する。
【００９０】
買取業者サーバ１２やオークション事業者サーバ１３のディスプレイに出力された商品情報出力ボタンをクリックすると、システム提供者サーバ１１は、ユニーク識別子やユニーク識別子が示すシリアル番号（商品識別子）に対応すると商品データや顧客データ、流通履歴データ、盗難データを商品情報データベースや顧客情報データベース、盗難情報データベースから抽出し、抽出した商品データや顧客データ、流通履歴データ、盗難データを買取業者サーバ１２やオークション事業者サーバ１３に送信する（商品データ送信手段（商品データ送信工程））、（流通履歴データ送信手段（流通履歴データ送信工程））。
【００９１】
買取業者サーバ１２やオークション事業者サーバ１３のディスプレイには、システム提供者サーバ１１から送信された商品データや顧客データ、流通履歴データ、盗難データを表示した商品情報表示画面２２が出力（表示）される（商品データ出力手段（商品データ出力工程））、（流通履歴データ出力手段（流通履歴データ出力工程））。オークション事業者サーバ１３は、システム提供者サーバ１１から受信した商品データや顧客データ、流通履歴データ、盗難データを販売業者サーバ１４に送信する。販売業者サーバ１４のディスプレイには、オークション事業者サーバ１３から送信された商品データや顧客データ、流通履歴データ、盗難データを表示した商品情報表示画面２２が出力（表示）される（商品データ出力手段（商品データ出力工程））、（流通履歴データ出力手段（流通履歴データ出力工程））。なお、商品データや顧客データ、流通履歴データ、盗難データがシステム提供者サーバ１１から販売業者サーバ１４に直接送信されてもよい。
【００９２】
商品情報表示画面２２には、図１０に示すように、時計Ｗ（リユース商品）の製造メーカー、製造年月日、シリーズ名、新品時の値段、買い取り価格を表示した商品情報表示エリア、時計Ｗ（リユース商品）の売り手Ｃの氏名や名称、住所または居所、電話番号（固定電話番号や携帯電話番号）、ＦＡＸ番号、メールアドレスを表示した顧客情報表示エリア、時計Ｗの画像を表示した画像表示エリア、時計Ｗの状態を表示した状態表示エリア、盗難年月日、管轄警察署を表示した盗難情報表示エリアが表示される。
【００９３】
なお、商品情報表示画面２２に表示される情報は図１０のそれらに限定されず、その他の情報が表示される場合があるとともに、図１０のそれら情報のうちの特定の情報（たとえば、個人情報）が表示されない場合もある。盗難品メッセージ（不正商品メッセージ）や商品情報表示画面２２を見たオークション事業者Ｅは、時計Ｗ（リユース商品）のオークションができないことを買取業者Ｄや販売業者Ｆに伝えるとともに、時計Ｗ（盗難品）の発見を捜査機関に伝える。
【００９４】
リユース商品流通管理システムおよびリユース商品流通管理方法は、時計Ｗ（新品またはリユース商品）のオークション時（流通時）にシリアル番号（商品識別子）が不正商品識別子に一致した場合、オークション対象（流通対象）の時計Ｗを盗難品（不正商品）と判断するから、時計Ｗ（リユース商品）のオークション（流通）において盗難品（不正商品）が見落とされることはなく、時計Ｗ（リユース商品）のオークション（流通）において盗難品（不正商品）を確実に見破ることができ、盗難品（不正商品）のオークション（流通）を未然に防ぐことができるとともに、オークション事業者Ｅにおいて真正な時計Ｗのオークションを行うことができる。
【００９５】
システム提供者サーバ１１は、ユニーク識別子に対応する時計Ｗのシリアル番号（商品識別子）と記憶した不正商品識別子とを比較した結果、時計Ｗのシリアル番号（商品識別子）と不正商品識別子とが不一致の場合、オークション対象（流通対象）の時計Ｗ（リユース商品）が不正商品に該当しないと判断する（不正商品判断手段（不正商品判断工程）。システム提供者サーバ１１は、オークション対象（流通対象）の時計Ｗ（リユース商品）が不正商品に該当しないと判断した場合、買取業者サーバ１２やオークション事業者サーバ１３に接続されたディスプレイにオークションＯＫメッセージを出力（表示）するとともに（オークションＯＫメッセージ出力手段（オークションＯＫメッセージ出力工程））、商品情報出力ボタンを出力（表示）する。オークションＯＫメッセージは、それを示す文字や画像の他、音声で伝えることもできる。
【００９６】
買取業者サーバ１２やオークション事業者サーバ１３のディスプレイに出力された商品情報出力ボタンをクリックすると、システム提供者サーバ１１は、ユニーク識別子やユニーク識別子が示すシリアル番号（商品識別子）に対応すると商品データや顧客データ、流通履歴データを商品情報データベースや顧客情報データベースから抽出し、抽出した商品データや顧客データ、流通履歴データを買取業者サーバ１２やオークション事業者サーバ１３に送信する（商品データ送信手段（商品データ送信工程））、（流通履歴データ送信手段（流通履歴データ送信工程））。買取業者サーバ１２やオークション事業者サーバ１３のディスプレイには、システム提供者サーバ１１から送信された商品データや顧客データ、流通履歴データを表示した商品情報表示画面が出力（表示）される（商品データ出力手段（商品データ出力工程））、（流通履歴データ出力手段（流通履歴データ出力工程））。
【００９７】
オークション事業者サーバ１３は、システム提供者サーバ１１から受信した商品データや顧客データ、流通履歴データを販売業者サーバ１４に送信する。販売業者サーバ１４のディスプレイには、オークション事業者サーバ１３から送信された商品データや顧客データ、流通履歴データを表示した商品情報表示画面が出力（表示）される（商品データ出力手段（商品データ出力工程））、（流通履歴データ出力手段（流通履歴データ出力工程））。なお、商品データや顧客データ、流通履歴データがシステム提供者サーバ１１から販売業者サーバ１４に直接送信されてもよい。商品情報表示画面には、図１０の商品情報表示画面２２から盗難情報表示エリアを除いた商品情報表示エリア、顧客情報表示エリア、画像表示エリア、状態表示エリアが表示される。
【００９８】
オークション事業者Ｅは、オークションＯＫメッセージを確認した後、オークション対象（流通対象）の時計Ｗ（リユース商品）をオークションにかける。オークションでは、所定の販売業者Ｆが時計Ｗ（リユース商品）を落札することで、その時計Ｗ（リユース商品）を買取業者Ｄから買い取る。オークションが成立した後、オークション事業者Ｅは、オークション成立データをオークション事業者サーバ１３からシステム提供者サーバ１１に送信する。時計Ｗ（リユース商品）のオークション手続きが終了した後、オークション事業者Ｅは、落札された時計Ｗ（タグ１９を含む）を販売業者Ｆに送る。
【００９９】
システム提供者サーバ１１は、オークション成立データを受信すると、図１１に示すように、オークションが成立した時計Ｗの商品データや顧客データ、流通履歴データの商品・顧客・履歴データ入力画面をオークション事業者サーバ１３に接続されたディスプレイに表示する。商品・顧客・履歴データ入力画面には、商品データ入力エリア、顧客データ入力エリア、流通履歴データ入力エリアが表示される。オークション事業者Ｅは、商品・顧客・履歴データ入力画面の商品データ入力エリアに時計Ｗ（リユース商品）の各種の商品データを入力し、顧客データ入力エリアに時計Ｗ（リユース商品）の各種の顧客データを入力するとともに、流通履歴データ入力エリアに時計Ｗ（リユース商品）の各種の流通履歴データを入力する。商品データや顧客データ、流通履歴データのうちの時計Ｗの買取時のそれらと同一のデータは、その入力を省略することができる。
【０１００】
オークション事業者Ｅは、商品データ入力エリアや顧客データ入力エリア、流通履歴データ入力エリアに商品データや顧客データ、履歴データを入力した後、登録ボタンをクリック（タップ）する。登録ボタンをクリック（タップ）すると、システム提供者サーバ１１は、入力された商品データや顧客データ、流通履歴データ（オークション事業者コード、オークション日時を含む）をシリアル番号（商品識別子）とユニーク識別子とのうちの少なくとも一方に関連付けた状態で商品情報データベースや顧客情報データベースに格納（記憶）する（商品データ記憶手段（商品データ記憶工程））、（流通履歴データ記憶手段（流通履歴データ記憶工程））。
【０１０１】
商品データ入力エリアに入力される商品データには、時計Ｗの買取時のそれらの他に、オークション落札価格、オークション落札日時が含まれる。顧客データ入力エリアに入力される顧客データは、時計Ｗの買取時のそれらと同一である。流通履歴データ入力エリアに入力される流通履歴データには、時計Ｗの買取時のそれらの他に、１次〜ｎ次オークション落札価格、１次〜ｎ次オークション落札日時が含まれる。
【０１０２】
図１２は、時計Ｗ（リユース商品）の販売の利用形態の一例を示す図であり、図１３は、時計Ｗ（リユース商品）の販売の一例を説明するフロー図である。図１４は、商品情報表示画面の他の一例を示す図であり、図１５は、販売業者Ｆにおける商品データ登録手順の一例を示すフロー図である。オークションによって落札された時計Ｗ（ユース商品）は、落札した販売業者Ｆに送られ、販売業者Ｆから買い手Ｈ（企業または個人ユーザー）に販売される。販売業者Ｆは、落札した時計Ｗ（ユース商品）をインターネット１８上の存在する独自運営のウェブサイト（ＥＣサイト）を利用して販売する。
【０１０３】
落札された時計Ｗ（ユース商品）がオークション事業者Ｅから販売業者Ｆに送られた後、販売業者Ｆは、ウェブサイト（ＥＣサイト）を管理運営するウェブサイト事業者Ｇに時計Ｗ（ユース商品）のウェブサイト（ＥＣサイト）への掲載を依頼する。ウェブサイト事業者Ｇは、販売業者Ｆの依頼に基づいて時計Ｗ（ユース商品）をウェブサイト（ＥＣサイト）へ掲載する。買い手Ｈ（企業または個人ユーザー）は、所持するスマートフォン１７を利用してウェブサイト（ＥＣサイト）にアクセスかつログインし、ウェブサイト（ＥＣサイト）に掲載された各種複数のリユース商品を閲覧しつつ、購入希望のリユース商品を購入することができる。
【０１０４】
ウェブサイト（ＥＣサイト）に掲載された時計Ｗ（リユース商品）の購入を希望する買い手Ｈ（企業または個人ユーザー）は、所持するスマートフォン１７を利用してウェブサイト（ＥＣサイト）にアクセスかつログインし、時計Ｗを指定しつつ、ウェブサイト（ＥＣサイト）の購入手続きに進む。購入手続きでは、たとえば、買い手Ｈ（企業または個人ユーザー）が購入希望の時計Ｗを指定した後、スマートフォン１７のタッチ画面に表示された購入希望アイコンをタップする。
【０１０５】
買い手Ｈが購入希望アイコンをタップすると、時計Ｗ（リユース商品）の購入希望情報がスマートフォン１７からウェブサイト事業者Ｇのウェブサイト事業者サーバ１５に送信されるとともに、購入希望情報がウェブサイト事業者サーバ１５から販売業者Ｆの販売業者サーバ１４に送信される。購入希望情報が販売業者サーバ１４に送信されると、販売業者サーバ１４に接続されたディスプレイには、時計Ｗ（リユース商品）に附属したタグのデータ読み取りメッセージとタグのデータ送信メッセージとが表示される。
【０１０６】
販売業者Ｆは、データ読み取りメッセージおよびデータ送信メッセージにしたがって、販売業者サーバ１４に接続されたＩＣタグリーダ／ライタによって時計Ｗに付けられたタグ１９のＩＣチップ２１を読み込み、または、販売業者サーバ１４に接続されたバーコードリーダによってタグ１９に表示されたＱＲコード２０を読み込む。
【０１０７】
販売業者サーバ１４は、ＩＣチップ２１に格納されたユニーク識別子を取得し、そのユニーク識別子をキャッシュメモリに一時的に格納し、または、ＱＲコード２０が示すユニーク識別子を取得し、そのユニーク識別子をキャッシュメモリに一時的に格納する。次に、販売業者サーバ１４は、図１３に示すように、ＩＣチップ２１やＱＲコード２０から取得したユニーク識別子をシステム提供者サーバ１１に送信する。販売業者サーバ１４から送信されたユニーク識別子は、システム提供者サーバ１１に入力される。
【０１０８】
システム提供者サーバ１１は、販売業者サーバ１４から送信されたユニーク識別子が示す時計Ｗのシリアル番号（商品識別子）を特定しつつ（商品識別子入力手段（商品識別子入力工程））、ユニーク識別子に対応する時計Ｗのシリアル番号（商品識別子）と不正商品識別子記憶手段（不正商品識別子記憶工程）によって記憶した不正商品識別子とを比較し、販売対象（流通対象）の時計Ｗ（リユース商品）が盗難品（不正商品）に該当するか否かと判断する（不正商品判断手段（不正商品判断工程）。
【０１０９】
システム提供者サーバ１１は、シリアル番号（商品識別子）と不正商品識別子とが一致し、オークション対象（流通対象）の時計Ｗ（リユース商品）が盗難品（不正商品）に該当すると判断した場合、販売業者サーバ１４やウェブサイト事業者サーバ１５に接続されたディスプレイに盗難品メッセージ（不正商品メッセージ）を出力（表示）するとともに（不正商品メッセージ出力手段（不正商品メッセージ出力工程））、商品情報出力ボタンを出力（表示）する。
【０１１０】
販売業者サーバ１４やウェブサイト事業者サーバ１５のディスプレイに出力された商品情報出力ボタンをクリックすると、システム提供者サーバ１１は、ユニーク識別子やユニーク識別子が示すシリアル番号（商品識別子）に対応すると商品データや顧客データ、流通履歴データ、盗難データを商品情報データベースや顧客情報データベース、盗難情報データベースから抽出し、抽出した商品データや顧客データ、流通履歴データ、盗難データを販売業者サーバ１４やウェブサイト事業者サーバ１５に送信する（商品データ送信手段（商品データ送信工程））、（流通履歴データ送信手段（流通履歴データ送信工程））。
【０１１１】
販売業者サーバ１４やウェブサイト事業者サーバ１５のディスプレイには、システム提供者サーバ１１から送信された商品データや顧客データ、流通履歴データ、盗難データを表示した商品情報表示画面２３が出力（表示）される（商品データ出力手段（商品データ出力工程））、（流通履歴データ出力手段（流通履歴データ出力工程））。ウェブサイト事業者サーバ１５は、システム提供者サーバ１１から受信した商品データや顧客データ、流通履歴データ、盗難データを買い手Ｈが所持するスマートフォン１７に送信する。スマートフォン１７のタッチ画面には、ウェブサイト事業者サーバ１５から送信された商品データや顧客データ、流通履歴データ、盗難データを表示した商品情報表示画面２３が出力（表示）される（商品データ出力手段（商品データ出力工程））、（流通履歴データ出力手段（流通履歴データ出力工程））。なお、商品データや顧客データ、流通履歴データ、盗難データがシステム提供者サーバ１１から買い手Ｈのスマートフォン１７に直接送信されてもよい。
【０１１２】
商品情報表示画面２３には、図１４に示すように、時計Ｗ（リユース商品）の落札年月日、時計Ｗ（リユース商品）の落札価格を表示した落札情報表示エリア、時計Ｗ（リユース商品）の製造メーカー、製造年月日、シリーズ名、新品時の値段、買い取り価格、販売価格、販売年月日を表示した商品情報表示エリア、時計Ｗ（リユース商品）の売り手Ｃの氏名や名称、住所または居所、電話番号（固定電話番号や携帯電話番号）、ＦＡＸ番号、メールアドレスを表示した顧客情報表示エリア、時計Ｗの画像を表示した画像表示エリア、時計Ｗの状態を表示した状態表示エリア、盗難年月日、管轄警察署を表示した盗難情報表示エリアが表示される。
【０１１３】
なお、商品情報表示画面２３に表示される情報は図１４のそれらに限定されず、その他の情報が表示される場合もあるとともに、図１４のそれら情報のうちの特定の情報（たとえば、個人情報）が表示されない場合もある。盗難品メッセージ（不正商品メッセージ）や商品情報表示画面２３を見たウェブサイト事業者Ｇは、時計Ｗ（リユース商品）の販売ができないことを販売業者Ｆや買い手Ｈ（企業または個人ユーザー）に伝えるとともに、時計Ｗ（盗難品）の発見を捜査機関に伝える。
【０１１４】
リユース商品流通管理システムおよびリユース商品流通管理方法は、時計Ｗ（リユース商品）の販売時（流通時）にシリアル番号（商品識別子）が不正商品識別子に一致した場合、販売対象（流通対象）の時計Ｗを盗難品（不正商品）と判断するから、時計Ｗ（リユース商品）の販売（流通）において盗難品（不正商品）が見落とされることはなく、時計Ｗ（リユース商品）の販売（流通）において盗難品（不正商品）を確実に見破ることができ、盗難品（不正商品）の販売（流通）を未然に防ぐことができるとともに、販売業者Ｆにおいて真正な時計Ｗの販売を行うことができる。
【０１１５】
システム提供者サーバ１１は、ユニーク識別子に対応する時計Ｗのシリアル番号（商品識別子）と記憶した不正商品識別子とを比較した結果、時計Ｗのシリアル番号（商品識別子）と不正商品識別子とが不一致の場合、販売対象（流通対象）の時計Ｗ（リユース商品）が不正商品に該当しないと判断する（不正商品判断手段（不正商品判断工程）。システム提供者サーバ１１は、販売対象（流通対象）の時計Ｗ（リユース商品）が不正商品に該当しないと判断した場合、販売業者サーバ１４やウェブサイト事業者サーバ１５に接続されたディスプレイに販売ＯＫメッセージを出力（表示）するとともに（販売ＯＫメッセージ出力手段（販売ＯＫメッセージ出力工程））、商品情報出力ボタンを出力（表示）する。販売ＯＫメッセージは、それを示す文字や画像の他、音声で伝えることもできる。
【０１１６】
販売業者サーバ１４やウェブサイト事業者サーバ１５のディスプレイに出力された商品情報出力ボタンをクリックすると、システム提供者サーバ１１は、ユニーク識別子やユニーク識別子が示すシリアル番号（商品識別子）に対応すると商品データや顧客データ、流通履歴データを商品情報データベースや顧客情報データベースから抽出し、抽出した商品データや顧客データ、流通履歴データを販売業者サーバ１４やウェブサイト事業者サーバ１５に送信する（商品データ送信手段（商品データ送信工程））、（流通履歴データ送信手段（流通履歴データ送信工程））。販売業者サーバ１４やウェブサイト事業者サーバ１５のディスプレイには、システム提供者サーバ１１から送信された商品データや顧客データ、流通履歴データを表示した商品情報表示画面が出力（表示）される（商品データ出力手段（商品データ出力工程））、（流通履歴データ出力手段（流通履歴データ出力工程））。
【０１１７】
ウェブサイト事業者サーバ１５は、システム提供者サーバ１１から受信した商品データや顧客データ、流通履歴データを買い手Ｈのスマートフォン１７に送信する。スマートフォン１７のタッチ画面には、ウェブサイト事業者サーバ１５から送信された商品データや顧客データ、流通履歴データを表示した商品情報表示画面が出力（表示）される（商品データ出力手段（商品データ出力工程））、（流通履歴データ出力手段（流通履歴データ出力工程））。なお、商品データや顧客データ、流通履歴データがシステム提供者サーバ１１から買い手Ｈのスマートフォン１７に直接送信されてもよい。商品情報表示画面には、図１４の商品情報表示画面２２から盗難情報表示エリアを除いた落札情報表示エリア、商品情報表示エリア、顧客情報表示エリア、画像表示エリア、状態表示エリアが表示される。
【０１１８】
ウェブサイト事業者Ｇは、販売ＯＫメッセージを確認した後、販売対象（流通対象）の時計Ｗ（リユース商品）が買い手Ｈに販売されたことを販売業者Ｆに伝える。ウェブサイト事業者サーバ１５は、販売対象（流通対象）の時計Ｗ（リユース商品）の販売成立データをシステム提供者サーバ１１、販売業者サーバ１４、買い手Ｈのスマートフォン１７に送信する。時計Ｗ（リユース商品）の販売手続きが終了した後、販売業者Ｆは、代金支払方法とともに時計Ｗ（タグ１９を含む）を買い手Ｈに送る。
【０１１９】
システム提供者サーバ１１は、販売成立データを受信すると、図１５に示すように、販売が成立した時計Ｗの商品データや顧客データ、流通履歴データの商品・顧客・履歴データ入力画面を販売業者サーバ１４に接続されたディスプレイに表示する。商品・顧客・履歴データ入力画面には、商品データ入力エリア、顧客データ入力エリア、流通履歴データ入力エリアが表示される。販売業者Ｆは、商品・顧客・履歴データ入力画面の商品データ入力エリアに時計Ｗ（リユース商品）の各種の商品データを入力し、顧客データ入力エリアに時計Ｗ（リユース商品）の各種の顧客データを入力するとともに、流通履歴データ入力エリアに時計Ｗ（リユース商品）の各種の流通履歴データを入力する。商品データや顧客データ、流通履歴データのうちの時計Ｗのオークション時のそれらと同一のデータは、その入力を省略することができる。
【０１２０】
販売業者Ｆは、商品データ入力エリアや顧客データ入力エリア、流通履歴データ入力エリアに商品データや顧客データ、履歴データを入力した後、登録ボタンをクリック（タップ）する。登録ボタンをクリック（タップ）すると、システム提供者サーバ１１は、入力された商品データや顧客データ、流通履歴データ（販売事業者コード、販売日時を含む）をシリアル番号（商品識別子）とユニーク識別子とのうちの少なくとも一方に関連付けた状態で商品情報データベースや顧客情報データベースに格納（記憶）する（商品データ記憶手段（商品データ記憶工程））、（流通履歴データ記憶手段（流通履歴データ記憶工程））。
【０１２１】
商品データ入力エリアに入力される商品データには、時計Ｗのオークション時のそれらの他に、販売価格、販売日時が含まれる。顧客データ入力エリアに入力される顧客データは、時計Ｗのオークション時のそれらと同一である。流通履歴データ入力エリアに入力される流通履歴データには、時計Ｗのオークション時のそれらの他に、１次〜ｎ次販売価格、１次〜ｎ次販売日時が含まれる。
【０１２２】
リユース商品流通管理システムおよびリユース商品流通管理方法は、時計Ｗ（リユース商品）の独自のシリアル番号（商品識別子）やユニーク識別子を利用し、各時計Ｗ（各リユース商品）の流通（買取、オークション、販売）に必要な各時計Ｗ（各リユース商品）の商品データや顧客データを一元的に管理することができ、各時計Ｗ（各リユース商品）の流通時（買取時、オークション時、販売時）に時計Ｗの各種商品データや顧客データを買取業者Ｄやオークション事業者Ｅ、販売業者Ｆ、ウェブサイト事業者Ｇがその都度独自に入力する手間を省くことができ、リユース市場において各時計Ｗ（各リユース商品）をスムースに流通させることができる。
【０１２３】
リユース商品流通管理システムおよびリユース商品流通管理方法は、各時計Ｗ（各リユース商品）の流通（買取、オークション、販売）に必要な各時計Ｗ（各リユース商品）の商品データや顧客データをその流通の度毎（買取の度毎、オークションの度毎、販売の度毎）に直ちに出力することができ、各時計Ｗ（各リユース商品）の流通（買取、オークション、販売）に必要な各時計Ｗ（各リユース商品）の商品データや顧客データを流通の度毎（買取時、オークション時、販売時）に知ることができる。リユース商品流通管理システムおよびリユース商品流通管理方法は、各時計Ｗ（各リユース商品）の流通（買取、オークション、販売）に必要な各時計Ｗ（各リユース商品）の商品データや顧客データを流通の度毎に知ることができるから、リユース市場において各時計Ｗ（各リユース商品）を安心して取引（買取、オークション、販売）することができる。
【０１２４】
リユース商品流通管理システムおよびリユース商品流通管理方法は、ユニーク識別子を表すＱＲコード（バーコード）やユニーク識別子を記憶したＩＣチップを利用し、ＱＲコード（バーコード）を読み取ることで、ＱＲコード（バーコード）に表されたユニーク識別子が示す時計Ｗのシリアル番号（商品識別子）に対応する時計Ｗ（リユース商品）の商品データや顧客データを直ちに出力することができ、ＩＣチップを読み取ることで、ＩＣチップに記憶されたユニーク識別子が示す時計Ｗのシリアル番号（商品識別子）に対応する商品データや顧客データを直ちに出力することができる。
【０１２５】
リユース商品流通管理システムおよびリユース商品流通管理方法は、ＱＲコード（バーコード）に表されたユニーク識別子が示す時計Ｗのシリアル番号（商品識別子）に対応する時計Ｗ（リユース商品）の商品データや顧客データ、ＩＣチップに記憶されたユニーク識別子が示す時計Ｗのシリアル番号（商品識別子）に対応する時計Ｗ（リユース商品）の商品データや顧客データを直ちに出力することができるから、ＱＲコード（バーコード）やＩＣチップを利用することで、各時計Ｗ（各リユース商品）の流通（買取、オークション、販売）に必要な各時計Ｗ（各リユース商品）の商品データや顧客データを流通の度毎に知ることができる。
【０１２６】
図１６は、ユニーク識別子の事前登録の一例を説明するフロー図である。販売業者Ｆから時計Ｗ（リユース商品）を購入した買い手Ｈ（購入者）は、販売業者Ｆから送られた時計Ｗ（リユース商品）に附属したタグ１９に表示されたＱＲコード２０（バーコード）をスマートフォン１７（携帯通信端末）や所有するタブレット（携帯通信端末）で撮影し、スマートフォン１７やタブレットのＱＲコードリーダを利用してＱＲコード２０に表されたユニーク識別子をスマートフォン１７やタブレットの記憶領域に格納（記憶）する。または、タグ１９に設置されたＩＣチップ２１をＩＣタグリーダ／ライタによって読み込み、ＩＣチップ２１に格納されたユニーク識別子をスマートフォン１７やタブレット、所有するパソコン（通信端末）の記憶領域に格納（記憶）する。購入した時計Ｗ（リユース商品）のユニーク識別子は、スマートフォン１７やタブレット、パソコンに登録される（ユニーク識別子登録手段（ユニーク識別子登録工程））。スマートフォン１７やタブレット、パソコンにユニーク識別子を格納（登録）すると、スマートフォン１７やタブレットのタッチ画面、パソコンのディスプレイにリユース商品流通管理システムを表すシステムアイコンが表示される。
【０１２７】
買い手Ｈは、購入した時計Ｗ（リユース商品）が盗取された場合、スマートフォン１７やタブレット、パソコンに表示されたシステムアイコンをタップ（クリック）する。システムアイコンをタップ（クリック）すると、スマートフォン１７やタブレットのタッチ画面、パソコンのディスプレイには、緊急送信画面（図示せず）が表示される。緊急送信画面には、盗難データ送信ボタン、キャンセルボタンが表示される。キャンセルボタンをタップ（クリック）すると、システムアイコンに戻る。
【０１２８】
購入した時計Ｗ（リユース商品）を盗取された買い手Ｈがスマートフォン１７の盗難データ送信ボタンをタップ（クリック）すると、所定の盗難信号とともに盗取された時計Ｗ（リユース商品）のユニーク識別子がスマートフォン１７やタブレット、パソコンからシステム提供者サーバ１１（リユース商品流通管理システム）に送信される（ユニーク識別子送信手段（ユニーク識別子送信工程））。
【０１２９】
システム提供者サーバ１１は、スマートフォン１７やタブレット、パソコンから送信された時計Ｗ（盗難品）の盗難信号およびユニーク識別子を受信する（ユニーク識別子受信手段（ユニーク識別子受信工程））。システム提供者サーバ１１は、盗難信号およびユニーク識別子を受信すると、受信したユニーク識別子からそのユニーク識別子に対応する時計Ｗ（盗難品）のシリアル番号（商品識別子）を特定し、特定したシリアル番号（商品識別子）を不正商品識別子（送信（盗難）日時を含む）として盗難情報データベースに格納（記憶）する（不正商品識別子記憶手段（不正商品識別子記憶工程）。システム提供者サーバ１１は、盗難登録済みメッセージをスマートフォン１７やタブレット、パソコンに送信する。
【０１３０】
時計Ｗ（盗難品）の盗難信号およびユニーク識別子は、買い手Ｈのスマートフォン１７やタブレット、パソコンからシステム提供者サーバ１１に逐次送信される。システム提供者サーバ１１は、盗難信号およびユニーク識別子を買い手Ｈのスマートフォン１７やタブレット、パソコンから逐次受信し、逐次受信した時計Ｗ（盗難品）のユニーク識別子に対応するシリアル番号（商品識別子）を不正商品識別子として記憶更新する。システム提供者サーバ１１の盗難情報データベースには、買い手Ｈのスマートフォン１７やタブレット、パソコンから逐次送信されたユニーク識別子に対応する時計Ｗ（盗難品）の不正商品識別子（シリアル番号）が蓄積される。
【０１３１】
リユース商品流通管理システムおよびリユース商品流通管理方法は、時計Ｗ（リユース商品）に附属するタグ１９に表示されたＱＲコード２０バーコードやタグ１９に取り付けられたＩＣチップ２１からユニーク識別子をスマートフォン１７（通信端末）やタブレット（通信端末）、パソコン（通信端末）に登録することで、タグ１９を紛失したとしても、ユニーク識別子をスマートフォン１７やタブレット、パソコンに確保（保存）することができ、スマートフォン１７やタブレット、パソコンに登録されたユニーク識別子に対応する時計Ｗ（リユース商品）が盗取された場合、所定の盗難信号とともに盗取された時計Ｗ（盗難品）のユニーク識別子をスマートフォン１７やタブレット、パソコンからシステム提供者サーバ１１（リユース商品流通管理システム）に送信することで、その時計Ｗ（盗難品）のユニーク識別子に対応するシリアル番号（商品識別子）を不正商品識別子として直ちに記憶することができ、時計Ｗ（盗難品）のリユース市場への流通や盗難品の売買、オークションを迅速かつ事前に防ぐことができる。
【符号の説明】
【０１３２】
１０    データセンター
１１    システム提供者サーバ
１２    買取業者サーバ
１３    オークション事業者サーバ
１４    販売業者サーバ
１５    ウェブサイト事業者サーバ
１６    捜査機関サーバ
１７    スマートフォン（通信端末）
１８    インターネット
１９    タグ
２０    ＱＲコード（バーコード）
２１    ＩＣチップ
２２    商品情報表示画面
２３    商品情報表示画面
Ａ      システム提供者捜
Ｂ      捜査機関
Ｃ      売り手
Ｄ      買取業者
Ｅ      オークション事業者
Ｆ      販売業者
Ｇ      ウェブサイト事業者
Ｈ      買い手
Ｗ      時計（リユース品）
【図１】
2019144795.tif 000003
【図２】
2019144795.tif 000004
【図３】
2019144795.tif 000005
【図４】
2019144795.tif 000006
【図５】
2019144795.tif 000007
【図６】
2019144795.tif 000008
【図７】
2019144795.tif 000009
【図８】
2019144795.tif 000010
【図９】
2019144795.tif 000011
【図１０】
2019144795.tif 000012
【図１１】
2019144795.tif 000013
【図１２】
2019144795.tif 000014
【図１３】
2019144795.tif 000015
【図１４】
2019144795.tif 000016
【図１５】
2019144795.tif 000017
【図１６】
2019144795.tif 000018